(57)【特許請求の範囲】
【請求項１】
プラズマディスプレイパネルの温度を検出する検出工程と、
前記検出した温度に基づき、温度の上昇に伴って生じる前記プラズマディスプレイパネルの輝度低下が補正されるよう該輝度を制御する輝度制御工程と、
を備えることを特徴とするプラズマディスプレイパネルの温度補償方法。
【請求項２】
プラズマディスプレイパネルを駆動するために維持パルスを印加する共通ドライバの温度を検出する検出工程と、
前記検出した温度に基づき、前記プラズマディスプレイパネルの輝度を制御する輝度制御工程と、
を備えることを特徴とするプラズマディスプレイパネルの温度補償方法。
【請求項３】
請求項１又は２のいずれかに記載のプラズマディスプレイパネルの温度補償方法において、
前記輝度制御工程は、前記プラズマディスプレイパネルにおける維持放電を行うための維持放電パルスの数を制御することを特徴とするプラズマディスプレイパネルの温度補償方法。
【請求項４】
請求項１又は２のいずれかに記載のプラズマディスプレイパネルの温度補償方法において、
前記輝度制御工程は、前記プラズマディスプレイパネルにおける維持放電を行うための維持放電パルス電圧を制御することを特徴とするプラズマディスプレイパネルの温度補償方法。
【請求項５】
請求項１又は２のいずれかに記載のプラズマディスプレイパネルの温度補償方法において、
前記輝度制御工程は、前記プラズマディスプレイパネルにより表示されるべき表示データに含まれる階調値データを制御することを特徴とするプラズマディスプレイパネルの温度補償方法。
【請求項６】
プラズマディスプレイパネルの温度を検出する検出工程と、
前記検出した温度に基づき、前記プラズマディスプレイパネルを構成する複数の発光セルのうち、発光させるべき前記発光セルを指定するアドレス放電における発光セル指定放電において、前記発光させるべき発光セルに対応する電極に印加すべき印加パルス電圧を制御する電圧制御工程と、
を備えることを特徴とするプラズマディスプレイパネルの温度補償方法。
【請求項７】
プラズマディスプレイパネルの温度を検出する検出工程と、
前記検出した温度に基づき、前記プラズマディスプレイパネルを構成する複数の発光セルのうち、発光させるべき前記発光セルを指定するアドレス放電における壁電荷蓄積放電において前記プラズマディスプレイパネルの電極に印加される印加電圧を制御する電圧制御工程と、
を備えることを特徴とするプラズマディスプレイパネルの温度補償方法。
【請求項８】
プラズマディスプレイパネルの温度を検出する検出工程と、
前記検出した温度に基づき、前記プラズマディスプレイパネルを駆動するための駆動信号のうち、前記プラズマディスプレイパネルを構成する発光セルを初期化するための初期化駆動信号の信号波形を制御する信号制御工程と、
を備えることを特徴とするプラズマディスプレイパネルの温度補償方法。
【請求項９】
プラズマディスプレイパネルの温度を検出する検出工程と、
前記検出した温度に基づき、前記プラズマディスプレイパネルを駆動するための駆動信号のうち、前記プラズマディスプレイパネルを構成する複数の発光セルのうち、発光させるべき前記発光セルを指定するアドレス期間における駆動信号に対して、過剰な壁電荷を中和するための中和信号を付加するように制御する信号制御工程と、
を備えることを特徴とするプラズマディスプレイパネルの温度補償方法。
【請求項１０】
プラズマディスプレイパネルの温度を検出する検出工程と、
前記検出した温度に基づき、前記プラズマディスプレイパネルにおいて過剰な壁電荷により異常な維持放電が発生する所定の低温時であるとき、当該プラズマディスプレイパネルを加熱する加熱工程と、
を備えることを特徴とするプラズマディスプレイパネルの温度補償方法。
【請求項１１】
プラズマディスプレイパネルの温度を検出し、検出信号を出力する検出手段と、
前記検出信号に基づき、温度の上昇に伴って生じる前記プラズマディスプレイパネルの輝度低下が補正されるよう該輝度を制御する輝度制御手段と、
を備えることを特徴とするプラズマディスプレイパネルの温度補償装置。
【請求項１２】
プラズマディスプレイパネルを駆動するために維持パルスを印加する共通ドライバの温度を検出し、検出信号を出力する検出手段と、
前記検出信号に基づき、前記プラズマディスプレイパネルの輝度を制御する輝度制御手段と、
を備えることを特徴とするプラズマディスプレイパネルの温度補償装置。
【請求項１３】
請求項１１又は１２のいずれかに記載のプラズマディスプレイパネルの温度補償装置において、
前記輝度制御手段は、前記プラズマディスプレイパネルにおける維持放電を行うための維持放電パルスの数を制御することを特徴とするプラズマディスプレイパネルの温度補償装置。
【請求項１４】
請求項１１又は１２のいずれかに記載のプラズマディスプレイパネルの温度補償装置において、
前記輝度制御手段は、前記プラズマディスプレイパネルにおける維持放電を行うための維持放電パルス電圧を制御することを特徴とするプラズマディスプレイパネルの温度補償装置。
【請求項１５】
請求項１１又は１２のいずれかに記載のプラズマディスプレイパネルの温度補償装置において、
前記輝度制御手段は、前記プラズマディスプレイパネルにより表示されるべき表示データに含まれる階調値データを制御することを特徴とするプラズマディスプレイパネルの温度補償装置。
【請求項１６】
プラズマディスプレイパネルの温度を検出し、検出信号を出力する検出手段と、
前記検出信号に基づき、前記プラズマディスプレイパネルを構成する複数の発光セルのうち、発光させるべき前記発光セルを指定するアドレス放電における発光セル指定放電において、前記発光させるべき発光セルに対応する電極に印加すべき印加パルス電圧を制御する電圧制御手段と、
を備えることを特徴とするプラズマディスプレイパネルの温度補償装置。
【請求項１７】
プラズマディスプレイパネルの温度を検出し、検出信号を出力する検出手段と、
前記検出信号に基づき、前記プラズマディスプレイパネルを構成する複数の発光セルのうち、発光させるべき前記発光セルを指定するアドレス放電における壁電荷蓄積放電において前記プラズマディスプレイパネルの電極に印加される印加電圧を制御する電圧制御手段と、
を備えることを特徴とするプラズマディスプレイパネルの温度補償装置。
【請求項１８】
プラズマディスプレイパネルの温度を検出し、検出信号を出力する検出手段と、
前記検出信号に基づき、前記プラズマディスプレイパネルを駆動するための駆動信号のうち、前記プラズマディスプレイパネルを構成する発光セルを初期化するための初期化駆動信号の信号波形を制御する信号制御手段と、
を備えることを特徴とするプラズマディスプレイパネルの温度補償装置。
【請求項１９】
プラズマディスプレイパネルの温度を検出し、検出信号を出力する検出手段と、
前記検出信号に基づき、前記プラズマディスプレイパネルを駆動するための駆動信号のうち、前記プラズマディスプレイパネルを構成する複数の発光セルのうち、発光させるべき前記発光セルを指定するアドレス期間における駆動信号に対して、過剰な壁電荷を中和するための中和信号を付加するように制御する信号制御手段と、
を備えることを特徴とするプラズマディスプレイパネルの温度補償装置。
【請求項２０】
プラズマディスプレイパネルの温度を検出し、検出信号を出力する検出手段と、
前記検出信号に基づき、前記プラズマディスプレイパネルにおいて過剰な壁電荷により異常な維持放電が発生する所定の低温時であるとき、当該プラズマディスプレイパネルを加熱する加熱手段と、
を備えることを特徴とするプラズマディスプレイパネルの温度補償装置。
【請求項２１】
請求項１１乃至２０のいずれか一項に記載のプラズマディスプレイパネルの温度補償装置と、
外部から入力される表示データに基づき、前記プラズマディスプレイパネルを駆動する駆動手段を制御する制御手段と、
前記制御手段の制御のもと、前記プラズマディスプレイパネルを駆動する前記駆動手段と、
前記駆動手段により駆動され、前記表示を行う前記プラズマディスプレイパネルと、
を備えたことを特徴とするプラズマディスプレイ表示装置。
【発明の詳細な説明】
【０００１】
【産業上の利用分野】
本発明は、プラズマディスプレイパネルの温度補償方法及び装置、プラズマディスプレイパネルの加熱防止方法及び装置並びにこれらを用いたプラズマディスプレイ表示装置に関し、より詳細には、プラズマディスプレイパネル及びその周辺装置の温度変動による表示状態の変動を補償するプラズマディスプレイパネルの温度補償方法及び装置、プラズマディスプレイパネルの加熱防止方法及び装置並びにこれらを用いたプラズマディスプレイ表示装置に関する。
【０００２】
近年、コンピュータディスプレイ、テレビ等においては、表示すべき情報の多様化、大画面化及び高精彩化が著しい。従って、これらに用いられるプラズマディスプレイパネル、ＬＣＤ（Ｌｉｑｕｉｄ  Ｃｒｙｓｔａｌ  Ｄｉｓｐｌａｙ）、エレクトロルミネッセンス、蛍光表示管、発光ダイオード等の表示装置においてもこれらの傾向に対応すべく、表示品質の向上が求められている。
【０００３】
上記の各表示装置のうち、プラズマディスプレイパネルは、ちらつきがない、大画面化が容易、輝度が高い、長寿命等の特徴を有することから、最近特に盛んに開発が行われている。
【０００４】
プラズマディスプレイパネルには、大別して、表示面を構成する複数の発光セルのうち、発光させるべきセルを選択するため選択放電（アドレス放電）及び選択された発光セルにおける発光を維持させるための維持放電を二つ電極を用いて行う２電極型プラズマディスプレイパネルと、アドレス放電を第３の電極を用いて行い、維持放電は先の二つの電極を用いて行う３電極型プラズマディスプレイパネルがある。
【０００５】
一方、カラー表示が可能なプラズマディスプレイパネルも最近開発が進んでいるが、このようなプラズマディスプレイパネルのうち、階調表現が可能なプラズマディスプレイパネルでは、上記の電極間で生じる放電により発生する紫外線によって、各発光セル内に形成された光の３原色の内の一の色に対応する発光色を有する蛍光体を励起することにより発光を得ているが、この蛍光体は放電により紫外線と同時に生じる正電荷であるイオンが衝突することによる衝撃に弱いという欠点がある。上記の２電極型プラズマディスプレイパネルでは、蛍光体に対して直接イオンが衝突する構造となっているため、蛍光体の寿命を短くしたしまう欠点がある。そこで、今日では、蛍光体に対して放電によるイオンが衝突しない構造を有する面放電型の３電極プラズマディスプレイパネルが一般化しつつある。
【０００６】
上述の面放電型３電極プラズマディスプレイパネルの種類としては、アドレス放電を行うための第３の電極を、維持放電を行うための第１及び第２の電極が配置されている基板上に配置するものと、当該第３の電極を第１及び第２の電極が配置されている基板に対向する他の基板に配置するものとがある。また、同一の基板に上記の第１乃至第３の電極を有するプラズマディスプレイパネルの中でも、維持放電を行う二つの電極の上に第３の電極を配置する場合と、当該二つの電極の下に第３の電極を配置する場合とがある。更に、蛍光体から発せられる光（可視光）をその蛍光体を透過させて外部に発光させる透過型プラズマディスプレイパネルと、当該発光を蛍光体からの反射光として外部に導く反射型プラズマディスプレイパネルがある。
【０００７】
ここで、放電を行う発光セルは、障壁（リブ又はバリアともいう。）によって隣接する発光セルと空間的な結合が断ち切られている。この障壁構造によりプラズマディスプレイパネルを分類すると、当該障壁が発光セルを囲むように四方に設けられ、発光セル内に発光に供されるガスを完全に密封するようになっている場合と、一方向のみに設けられ、当該一方向と直交する方向は各電極間のギャップ（距離）を適性化することにより隣接発光セル間の結合が断ち切られている場合がある。
【０００８】
【従来の技術】
ここで、上記の３電極型プラズマディスプレイパネルのうち、従来一般的に用いられている面放電型３電極ＡＣ（交流）型プラズマディスプレイパネルについて、図１０乃至図１４を用いて説明する。以下の説明では、維持放電を行う二つの電極が平行に配置されている基板に対向する基板に、アドレス放電を行うための第３の電極が、上記二つの電極に垂直な方向に配置されており、更に、上記の障壁が維持放電を行う第１及び第２の電極に垂直で、アドレス放電を行う第３の電極に平行な方向にのみ配置され、第１及び第２の電極の一部が透明電極で構成されている反射型面放電３電極ＡＣ型プラズマディスプレイパネル（以下、単にＰＤＰ（Ｐｌａｓｍａ  Ｄｉｓｐｌａｙ  Ｐａｎｅｌ）という。）について説明する。
【０００９】
始めに、図１０乃至図１２を用いて、従来のＰＤＰについてその概略構造を説明する。
先ず図１０に従来のＰＤＰ１００の平面図を示す。
【００１０】
図１０において、ＰＤＰ１００は、アドレス放電を行うためのアドレス電極Ａ１  乃至ＡＭ  と、維持放電を行うためのＸ電極Ｘ１  乃至ＸＮ  及びＹ電極Ｙ１  乃至ＹＮ  を備えている。ここで、Ｘ電極Ｘ１  乃至ＸＮ  はそれぞれ共通電極に接続され、Ｙ電極Ｙ１  乃至ＹＮ  はそれぞれに独立とされている。また、発光セルＣには、光の３原色に対応するそれぞれの色（赤（以下、Ｒという。）、緑（以下、Ｇという。）及び青（以下、Ｂという。））のうちいずれか一色に対応する蛍光体が塗布されており、Ｙ電極Ｙ１  乃至ＹＮ  に平行な方向が障壁Ｂにより区切られている。更に、隣接する二つの障壁Ｂ内は、同じ色の蛍光体が塗布され、ＰＤＰ１００全体として、Ｒ、Ｇ、Ｂの順にストライプ状の蛍光体を備えている。
【００１１】
ここで、発光セルＣのアドレス電極Ａ１  乃至ＡＭ  方向の分割は、隣接する発光セルＣ間のＸ電極とＹ電極（例えば、Ｘ電極Ｘ２  とＹ電極Ｙ１  ）間のギャップ（距離）を適性化することにより隣接する発光セルＣ同士の結合が遮断されている。
【００１２】
上述の構成を有するＰＤＰ１００においては、アドレス放電はアドレス電極Ａ１  乃至ＡＭ  とＹ電極Ｙ１  乃至ＹＮ  の間で行われ、維持放電はそれぞれ対応して隣接するＸ電極Ｘ１  乃至ＸＮ  とＹ電極Ｙ１  乃至ＹＮ  （Ｘ電極Ｘ１  とＹ電極Ｙ１  、Ｘ電極Ｘ２  とＹ電極Ｙ２  、以下同様）の間で行われる。
【００１３】
次に、図１１に基づいてＰＤＰ１００の断面構成について説明する。なお、図１１においては、図１１（ａ）が第１０図におけるα−α’断面の一部（アドレス電極Ａ４  乃至Ａ６  に係る部分）を示し、図１１（ｂ）が第１０図におけるβ−β’断面の一部（Ｙ電極Ｙ１  、Ｘ電極Ｘ２  及びＹ電極Ｙ２  に係る部分）を示している。
【００１４】
図１１に示すように、ＰＤＰ１００は反射型ＰＤＰであり、アドレス電極Ａ１  乃至ＡＭ  、維持電極としてのＸ電極Ｘ１  乃至ＸＮ  及びＹ電極Ｙ１  乃至ＹＮ  、発光セルＣ並びに障壁Ｂは、背面ガラス基板１０１と前面ガラス基板１０６の間に形成されており、図１１（ａ）に示すように、背面側から、ＰＤＰ１００本体としての背面ガラス基板１０１と、アドレス電極Ａ１  乃至ＡＭ  と、各発光セルＣを区分する障壁Ｂと、各アドレス電極Ａ１  乃至ＡＭ  を覆うように形成されると共に、各発光セルＣの対応する発光色（Ｒ、Ｇ又はＢ）を有し、アドレス放電及び維持放電により放出される紫外線により励起されて発光する蛍光体Ｆと、放電面をアドレス放電及び維持放電により放出される正イオンから保護する保護層としてのＭｇＯ層１０２と、各Ｘ電極及び各Ｙ電極間を絶縁すると共に、放電面を形成するガラス等の誘電体層１０３と、Ｘ電極Ｘ１  乃至ＸＮ  と、Ｙ電極Ｙ１  乃至ＹＮ  と、表示面を構成する前面ガラス基板１０６と、により構成されている。ここで、障壁Ｂの頂部と、ＭｇＯ層１０２が密着するように背面ガラス基板１０１と前面ガラス基板１０６が配置されている。
【００１５】
また、図１１（ｂ）に示すように、Ｘ電極Ｘ１  乃至ＸＮ  及びＹ電極Ｙ１  乃至ＹＮ  は、それぞれ透明電極１０４と、バス電極１０５とにより構成されている。ここで、透明電極１０４は、蛍光体Ｆからの発光を透過するためにＩＴＯ（Ｉｎｄｉｕｍ  Ｔｉｔａｎｉｕｍ  Ｏｘｉｄｅ  、酸化インジュームを主成分とする透明の導体膜）により形成され、バス電極１０５は、電気抵抗による電圧降下を防止するために低抵抗のＣｕ（銅）やＣｒ（クロム）により形成されている。
【００１６】
上述の構成において、蛍光体Ｆからの発光は、反射光として透明電極１０５及び前面ガラス基板１０６を透過して表示面から放出される。
ここで、従来技術のＰＤＰ１００を用いて表示を行うための表示データにおいては、表示すべきデータにおける１フレームが複数のサブフレーム（画面）で構成され、当該サブフレームは、それぞれ、リセット期間、アドレス期間及び維持放電期間に時分割されている。
【００１７】
このうち、リセット期間は、ＰＤＰ１００の全ての発光セルＣをリセットして不要な帯電を除去するための期間である。
また、アドレス期間は、表示すべきデータに基づいて、発光させるべき発光セルＣに対応するアドレス電極Ａ１  乃至ＡＭ  及びＹ電極Ｙ１  ＹＮ  に対してアドレスラインに沿ってアドレスパルス及びスキャンパルスを印加することにより、アドレス放電（選択放電、図１１（ｂ）参照）を発生させる期間である。
【００１８】
更に、維持放電期間は、Ｘ電極Ｘ１  乃至ＸＮ  及びＹ電極Ｙ１  乃至ＹＮ  に対して、アドレス放電により発光させた発光セルＣを更に発光させるべく維持パルスが印加される期間である。このとき、当該維持パルスにより図１１（ｂ）に示す維持放電が生じ、当該発光セルＣが発光することとなる。ここで、維持パルスが多いほど当該発光セルにおける輝度が高い（明るい）こととなる。
【００１９】
次に、図１２を用いて、ＰＤＰ１００を備えた従来技術のプラズマディスプレイ表示装置の構成について説明する。
図１２に示すプラズマディスプレイ表示装置２００において、アドレス電極Ａ１  乃至ＡＭ  は１本毎にアドレスドライバ１１１に接続され、そのアドレスドライバ１１１によってアドレス放電時のアドレスパルスＰＡＷ等が印加される。また、Ｙ電極Ｙ１  乃至ＹＮ  は個別にＹスキャンドライバ１１３に接続される。Ｙスキャンドライバ１１３はＹ共通ドライバ１１４に接続されており、アドレス放電時のスキャンパルスＰＡＹはＹスキャンドライバ１１３から発生し、維持放電期間における維持パルスＰＹＳ等はＹ共通ドライバ１１４で発生し、Ｙスキャンドライバ１１３を経由してＹ電極Ｙ１  乃至ＹＮ  に印加される。一方、Ｘ電極Ｘ１  乃至ＸＮ  はＰＤＰ１００の全表示ラインに渡って共通に接続され取り出される。
【００２０】
Ｘ共通ドライバ１１２は、リセット期間における書き込みパルスＰＸＷ、維持放電期間における維持パルスＰＸＳ等を発生する。これらのドライバは、制御回路１１０によって制御される。
【００２１】
制御回路１１０は、表示データＤＡＴＡの１フレーム分のデータを記憶するフレームメモリ１３０を備えた表示データ制御部１２０及び各ドライバを制御するスキャンドライバ制御部１４０及び共通ドライバ制御部１４１を備えたパネル駆動部制御部１２１により構成されており、外部より入力されるドットクロックＣＬＫ、同期信号ＨＳＹＮＣ、ＶＳＹＮＣ及び表示データＤＡＴＡに基づき、各ドライバを制御する制御信号を出力する。
【００２２】
次に、図１３に示すタイミングチャート及び図１２に基づいて、一の上記サブフレームに相当するサブフレーム期間におけるプラズマディスプレイ表示装置２００の動作について説明する。なお、図１３は、一のサブフレーム期間における各パルスの発生タイミングを示している。
【００２３】
図１３に示すように、始めにリセット期間（全面書き込み期間と自己消去期間によりなる）において、全てのＹ電極Ｙ１  乃至ＹＮ  が０Ｖレベルとされ、更に、全てのＸ電極Ｘ１  乃至ＸＮ  に対して書込パルスＰＸＷ（約３３０Ｖ、１０μｓｅｃ）が印加される。この書込パルスＰＸＷに同期して、全てのアドレス電極Ａ１  乃至ＡＭ  に対して書込パルスＰＡＷが印加される。この書込パルスＰＸＷ及びＰＡＷにより全てのＸ電極Ｘ１  乃至ＸＮ  及びアドレス電極Ａ１  乃至ＡＭ  間（全ての発光セルＣ）において、それ以前の表示状態に拘らず放電が行われる。そして、書込パルスＰＸＷ及びＰＡＷによる放電の後、全てのＸ電極Ｘ１  乃至ＸＮ  及びアドレス電極Ａ１  乃至ＡＭ  が０Ｖレベルとなり、全ての発光セルＣにおいて壁電荷自体の電圧が放電開始電圧を越えて放電が開始される。この放電においては、各電極間の電位差がないため壁電荷が形成されることはなく、空間電荷が自己中和して終了する、いわゆる自己消却放電となる。このとき、Ｘ電極Ｘ１  乃至ＸＮ  における書込パルスＰＸＷの印加終了から次のアドレス期間におけるＸ電極Ｘ１  乃至ＸＮ  への電圧の印加までの期間を自己消去期間ＴＳＥとする。
【００２４】
この自己消却放電によって、全ての発光セルＣが壁電荷のない均一な電位状態となり、リセットが行われる。このリセット期間においては、一つ前のサブフレーム期間における点灯状態に拘らず全ての発光セルＣが同じ電位状態となるので、リセット期間の次のアドレス期間におけるアドレス放電を安定に行うことができる。
【００２５】
次に、アドレス期間においては、サブフレームデータに基づいて発光させるべき発光セルＣを選択するためのアドレス放電が行われる。このアドレス放電は、発光セル指定放電としてのプライミングアドレス放電と壁電荷蓄積放電としての主アドレス放電に分けられる。
【００２６】
すなわち、プライミングアドレス放電は、発光させるべき発光セルＣに該当するアドレス電極に対しアドレスパルスＰＡＡが印加され、これと並行して、発光させるべき発光セルＣに該当するＹ電極に対して、Ｙ電極Ｙ１  から順に時分割的に（アドレスラインに沿って）スキャンパルスＰＡＹが印加され、このアドレスパルスＰＡＡとスキャンパルスＰＡＹとにより行われる。
【００２７】
このとき、一のアドレスパルスＰＡＡのタイミングにおいては、図１３に示すタイミングチャートが対応するサブフレームに対応するサブフレームデータで指定される発光セルＣに対応するアドレス電極全てに対してアドレスパルスＰＡＡが印加される。これにより一のＹ電極に対応する発光セルＣのうち、必要な発光セルＣにおいて同時にプライミングアドレス放電が発生する。その後、この動作が各Ｙ電極に印加されるスキャンパルスＰＡＹのタイミングで当該Ｙ電極に対応する発光セルＣにおいて繰返される。
【００２８】
プライミングアドレス放電及び主アドレス放電についてより具体的に説明すると、先ず、該当するＹ電極（例えば、Ｙ電極Ｙ１  ）に−ＶＹレベル（約−１５０Ｖ）のスキャンパルスＰＡＹが印加され、これと同時にアドレス電極Ａ１  乃至ＡＭ  のうち、発光させる発光セルＣに対応するアドレス電極に電圧Ｖａ  （約５０Ｖ）のアドレスパルスＰＡＡが印加される。このとき、全てのＸ電極Ｘ１  乃至ＸＮ  は所定のＸアドレス電圧（図１３中ＶＸ  で示す。）に維持されている。そして、当該Ｙ電極Ｙ１  とアドレス電極Ａ１  の間でプライミングアドレス放電が発生し、これをプライミング（種火）として対応するＸ電極Ｘ１  とＹ電極Ｙ１  との間で壁電荷蓄積放電としての主アドレス放電が発生する。このプライミングアドレス放電及び主アドレス放電により、発光させるべき発光セルＣに対応するＸ電極とＹ電極（Ｘ電極Ｘ１  とＹ電極Ｙ１  ）を覆うＭｇＯ膜１０２（図１１符号１０２参照）上に次の維持放電期間における維持放電が可能な量の壁電荷が蓄積される。
【００２９】
上述のアドレス放電が、アドレスパルスＰＡＹのタイミングで順次全てのＹ電極に対して発生し、サブフレームデータに対応する発光セルＣへのデータ書込が行われる。
【００３０】
最後に、維持放電期間においては、アドレス期間において指定された発光セルＣを更に発光させるべく、全てのＸ電極及びＹ電極に対して交互に維持パルスＰＸＳ及びＰＹＳ（約１８０Ｖ）が印加され、当該指定された（壁電荷が蓄積された）発光セルＣにおいて閾値を越えて維持放電が行われ、当該サブフレームデータに対応する輝度の画像表示が行われる。ここで、上述のように、維持パルスＰＸＳ及びＰＹＳの数が多いほど当該サブフレーム期間における発光輝度が高くなる。
【００３１】
次に、上述のＰＤＰ１００を含むプラズマディスプレイ表示装置２００において多階調表現をする場合について、２５６階調の階調表現をする場合を例として説明する。
【００３２】
２５６階調の階調表現をする場合には、図１４に示すように、表示データＤＡＴＡにおける一のフレームは、８つのサブフレーム（ＳＦ１乃至ＳＦ８）に時分割される。そして、各サブフレームは、それぞれにリセット期間、アドレス期間及び維持放電期間を備えており、リセット期間とアドレス期間は、それぞれ同一の長さとなる。また、維持放電期間の長さは１：２：４：８：１６：３２：６４：１２８の比率となる。従って、点灯させるサブフィールドを選択することで、０から２５５までの２５６階調の輝度の違いを表示できる。
【００３３】
より具体的には、そして、例えば、７／２５６階調を表現する場合には、７（階調）＝１（階調）＋２（階調）＋４（階調）であるので、サブフレーム１乃至サブフレーム３に相当する時間のみ発光するように設定され、他のサブフレームにおいては発光が行われない。また、例えば、２０／２５６階調を表現する場合には、同様に、２０（階調）＝１６（階調）＋４（階調）であるので、サブフレーム３及びサブフレーム５に相当する時間のみ発光するように設定される。そして、各サブフレームにおいては、維持放電期間の長短、つまり、維持パルスの数によって、当該サブフレームに対応する輝度が決定される。
【００３４】
また、一のフレームにおける実際の時間配分の一例は以下のようになる。
例えば、画面の書き換えを６０Ｈｚとすると、１フレームは１６．６ｍｓ（１／６０Ｈｚ）となる。１フレーム内の維持放電サイクル（サステインサイクルともいう。）の回数を５１０回とすると、各サブフレームの維持放電サイクルの回数は、ＳＦ１が２サイクル、ＳＦ２が４サイクル、ＳＦ３が８サイクル、ＳＦ４が１６サイクル、ＳＦ５が３２サイクル、ＳＦ６が６４サイクル、ＳＦ７が１２８サイクル、ＳＦ８が２５６サイクルとなる。サステインサイクルの時間を８μｓとすると、１フレームでの合計は、４．０８ｍｓとなる。残りの約１２ｍｓの中に８回のリセット期間とアドレス期間が割り当てられる。ここで、各サブフィールドのリセット期間は５０μｓである。さらに、アドレスサイクル（１ライン当たりのスキャン）に必要な時間は３μｓであるから、垂直方向に４８０ライン表示ライン（Ｙ電極）を持つＰＤＰ１００の場合には、１．４４ｍｓ（３×４８０）の時間を必要とする。
【００３５】
【発明が解決しようとする課題】
しかしながら、上述ＰＤＰ１００を動作させる場合には、動作自体が高電圧下のガス放電により実行されることから、動作を継続するに伴い、ＰＤＰ１００及びこれを動作させる各ドライバにおいて、温度上昇による以下に示す種々の問題点が生じていた。
【００３６】
先ず第１の問題点として、温度上昇によるＰＤＰ１００自体の放電特性の変化および各ドライバを構成する駆動素子（ＦＥＴ（Ｆｉｅｌｄ  Ｅｆｆｅｃｔ  Ｔｒａｎｓｉｓｔｏｒ  ）等）の温度に対するオン抵抗の変化等により、温度が上昇するに従って、発光セルＣに対する印加電圧、維持パルス数等が変化していないにも拘らずＰＤＰ１００の輝度が低下するという問題点があった。
【００３７】
この問題点についてより詳細に説明すると、ＰＤＰ１００の表面温度と輝度の関係は、図１５（ａ）に示すように変化し、また、駆動素子と輝度の関係は図１５（ｂ）に示すように変化して、双方ともに温度上昇にしたがって輝度が低下するのである。
【００３８】
次に第２の問題点として、スキャンパルスＰＡＹ（図１３符号ＰＡＹ参照）の電圧Ｖｙ  の印加できる許容範囲（以下、駆動電圧マージンという。）が、ＰＤＰ１００の温度上昇にともなって変化してしまうという問題点があった。
【００３９】
より具体的には、アドレス期間において、全ての選択した発光セルＣが正常にアドレス放電を行うために最低限必要なスキャンパルスＰＡＹの電圧Ｖｙ  を最小アドレス電圧Ｖｙｍｉｎとすると、最小アドレス電圧Ｖｙｍｉｎは、図１６に示すように、ＰＤＰ１００の温度が上昇するに従って高くなる。一方、選択されていない発光セルＣが誤って点灯してしまう現象をオーバーライトというが、全ての非選択発光セルＣがオーバーライトしない最大のスキャンパルスＰＡＹの電圧Ｖｙ  をオーバライト電圧ＯＷＶｙｍａｘとするとオーバライト電圧ＯＷＶｙｍａｘもまた、図１６に示すように、ＰＤＰ１００の温度が上昇するに従って高くなるのである。
【００４０】
このとき、図１７（ａ）に示すように、Ｖｙ  設定可能範囲が十分に広い場合は多少の温度変動が存在してもＶｙ  設定値は設定可能範囲内にあるので、表示品質上何ら問題はないが、図１７（ｂ）に示すようにＶｙ  設定可能範囲が狭い場合は、高温時は書き込みが不良が、低温時にはオーバライトが発生し、表示品質上大きな欠陥となるのである。
【００４１】
更に第３の問題点として、ＰＤＰ１００の駆動において、発光させるべき発光セルＣに対してアドレス放電を行い次に維持放電を行う際、アドレス放電によって形成された壁電荷の量が必要以上に多い場合、正常な維持放電が行えないという問題点があった。この場合には、選択された発光セルＣが点滅するという不具合が発生する。この不具合は、アドレス期間におけるアドレス放電が必要以上に強いことにより、アドレス放電によって形成された壁電荷の量が必要以上に多い場合、本来Ｘ電極Ｘ１  乃至ＸＮ  とＹ電極Ｙ１  乃至ＹＮ  で行うべき維持放電を、アドレス電極Ａ１  乃至ＡＭ  とＹ電極Ｙ１  乃至ＹＮ  で行ってしまう現象である。
【００４２】
この問題点は、アドレス放電を行う各電極の電圧値には依存せず、蛍光体Ｆの種類やＰＤＰ１００の温度に大きく依存することが判明している。
図１８に過剰アドレス放電による点滅不良発光セルＣの比率とＰＤＰ１００の温度との関係を示す。図１８に示すように、ＰＤＰ１００の温度が低くなるほど不具合が発生する発光セルの数が増加することがわかる。
最後に第４の問題点として、ＰＤＰ１００を動作させる周囲の環境温度が異常に高い場合、あるいは、予期せぬ不具合が発生した場合には、ＰＤＰ１００またはその駆動手段の温度が異常に上昇し、回路部品の温度定格を超過する危険があり、この時この回路素子は部品破壊へ至る可能性があるという問題点があった。
【００４３】
そこで、本発明は、上記の第１から第３の各問題点に鑑みて成されたもので、その目的は、駆動によるＰＤＰ１００又はドライバの温度が上昇した場合でも、その表示特性に影響を与えないように当該温度上昇を補償することが可能なプラズマディスプレイパネルの温度補償方法及び装置並びにこれらを用いたプラズマディスプレイ表示装置を提供することにある。
【００４４】
【課題を解決するための手段】
第１の問題点を解決するために、請求項１に記載の発明は、プラズマディスプレイパネルの温度を検出する検出工程と、前記検出した温度に基づき、温度の上昇に伴って生じる前記プラズマディスプレイパネルの輝度低下が補正されるよう該輝度を制御する輝度制御工程と、を備えて構成される。
【００４５】
更に、第１の問題点を解決するために、請求項２に記載の発明は、プラズマディスプレイパネルを駆動するために維持パルスを印加する共通ドライバの温度を検出する検出工程と、前記検出した温度に基づき、前記プラズマディスプレイパネルの輝度を制御する輝度制御工程と、を備えて構成される。
【００４６】
請求項３に記載の発明は、請求項１又は２のいずれかに記載のプラズマディスプレイパネルの温度補償方法において、前記輝度制御工程は、前記プラズマディスプレイパネルにおける維持放電を行うための維持放電パルスの数を制御するように構成される。
【００４７】
請求項４に記載の発明は、請求項１又は２のいずれかに記載のプラズマディスプレイパネルの温度補償方法において、前記輝度制御工程は、前記プラズマディスプレイパネルにおける維持放電を行うための維持放電パルス電圧を制御するように構成される。
【００４８】
請求項５に記載の発明は、請求項１又は２のいずれかに記載のプラズマディスプレイパネルの温度補償方法において、前記輝度制御工程は、前記プラズマディスプレイパネルにより表示されるべき表示データに含まれる階調値データを制御するように構成される。
【００４９】
第２の問題点を解決するために、請求項６に記載の発明は、プラズマディスプレイパネルの温度を検出する検出工程と、前記検出した温度に基づき、前記プラズマディスプレイパネルを構成する複数の発光セルのうち、発光させるべき前記発光セルを指定するアドレス放電における発光セル指定放電において、前記発光させるべき発光セルに対応する電極に印加すべき印加パルス電圧を制御する電圧制御工程と、を備えて構成される。
【００５０】
更に、第２の問題点を解決するために、請求項７に記載の発明は、プラズマディスプレイパネルの温度を検出する検出工程と、前記検出した温度に基づき、前記プラズマディスプレイパネルを構成する複数の発光セルのうち、発光させるべき前記発光セルを指定するアドレス放電における電荷蓄積放電において前記プラズマディスプレイパネルの電極に印加される印加電圧を制御する電圧制御工程と、を備えて構成される。
【００５１】
更にまた、第２の問題点を解決するために、請求項８に記載の発明は、プラズマディスプレイパネルの温度を検出する検出工程と、前記検出した温度に基づき、前記プラズマディスプレイパネルを駆動するための駆動信号のうち、前記プラズマディスプレイパネルを構成する発光セルを初期化するための初期化駆動信号の信号波形を制御する信号制御工程と、を備えて構成される。
【００５２】
第３の問題点を解決するために、請求項９に記載の発明は、プラズマディスプレイパネルの温度を検出する検出工程と、前記検出した温度に基づき、前記プラズマディスプレイパネルを駆動するための駆動信号のうち、前記プラズマディスプレイパネルを構成する複数の発光セルのうち、発光させるべき前記発光セルを指定するアドレス期間における駆動信号に対して、過剰な壁電荷を中和するための中和信号を付加するように制御する信号制御工程と、を備えて構成される。
【００５３】
更に第３に問題点を解決するために、請求項１０に記載の発明は、プラズマディスプレイパネルの温度を検出する検出工程と、前記検出した温度に基づき、前記プラズマディスプレイパネルにおいて過剰な壁電荷により異常な維持放電が発生する所定の低温時であるとき、当該プラズマディスプレイパネルを加熱する加熱工程と、を備えて構成される。
【００６０】
第１の問題点を解決するために、請求項１１に記載の発明は、プラズマディスプレイパネルの温度を検出し、検出信号を出力する熱電対等の検出手段と、前記検出信号に基づき、温度の上昇に伴って生じる前記プラズマディスプレイパネルの輝度低下が補正されるよう該輝度を制御するマイクロコンピュータ等の輝度制御手段と、を備えて構成される。
【００６１】
更に第１の問題点を解決するために、請求項１２に記載の発明は、プラズマディスプレイパネルを駆動するために維持パルスを印加する共通ドライバの温度を検出し、検出信号を出力する熱電対等の検出手段と、前記検出信号に基づき、前記プラズマディスプレイパネルの輝度を制御するマイクロコンピュータ等の輝度制御手段と、を備えて構成される。
【００６２】
請求項１３に記載の発明は、請求項１１又は１２のいずれかに記載のプラズマディスプレイパネルの温度補償装置において、前記輝度制御手段は、前記プラズマディスプレイパネルにおける維持放電を行うための維持放電パルスの数を制御するように構成される。
【００６３】
請求項１４に記載の発明は、請求項１１又は１２のいずれかに記載のプラズマディスプレイパネルの温度補償装置において、前記輝度制御手段は、前記プラズマディスプレイパネルにおける維持放電を行うための維持放電パルス電圧を制御するように構成される。
【００６４】
請求項１５に記載の発明は、請求項１１又は１２のいずれかに記載のプラズマディスプレイパネルの温度補償装置において、前記輝度制御手段は、前記プラズマディスプレイパネルにより表示されるべき表示データに含まれる階調値データを制御するように構成される。
【００６５】
第２の問題点を解決するために、請求項１６に記載の発明は、プラズマディスプレイパネルの温度を検出し、検出信号を出力する熱電対等の検出手段と、前記検出信号に基づき、前記プラズマディスプレイパネルを構成する複数の発光セルのうち、発光させるべき前記発光セルを指定するアドレス放電における発光セル指定放電において、前記発光させるべき発光セルに対応する電極に印加すべき印加パルス電圧を制御するマイクロコンピュータ等の電圧制御手段と、を備えて構成されている。
【００６６】
更に、第２の問題点を解決するために、請求項１７に記載の発明は、プラズマディスプレイパネルの温度を検出し、検出信号を出力する熱電対等の検出手段と、前記検出信号に基づき、前記プラズマディスプレイパネルを構成する複数の発光セルのうち、発光させるべき前記発光セルを指定するアドレス放電における電荷蓄積放電において前記プラズマディスプレイパネルの電極に印加される印加電圧を制御するマイクロコンピュータ等の電圧制御手段と、を備えて構成される。
【００６７】
更にまた、第２の問題点を解決するために、請求項１８に記載の発明は、プラズマディスプレイパネルの温度を検出し、検出信号を出力する熱電対等の検出手段と、前記検出信号に基づき、前記プラズマディスプレイパネルを駆動するための駆動信号のうち、前記プラズマディスプレイパネルを構成する発光セルを初期化するための初期化駆動信号の信号波形を制御するマイクロコンピュータ等の信号制御手段と、を備えて構成される。
【００６８】
第３の問題点を解決するために、請求項１９に記載の発明は、プラズマディスプレイパネルの温度を検出し、検出信号を出力する熱電対等の検出手段と、前記検出信号に基づき、前記プラズマディスプレイパネルを駆動するための駆動信号のうち、前記プラズマディスプレイパネルを構成する複数の発光セルのうち、発光させるべき前記発光セルを指定するアドレス期間における駆動信号に対して、過剰な壁電荷を中和するための中和信号を付加するように制御するマイクロコンピュータ等の信号制御手段と、を備えて構成される。
【００６９】
更に、第３の問題点を解決するために、請求項２０に記載の発明は、プラズマディスプレイパネルの温度を検出し、検出信号を出力する熱電対等の検出手段と、前記検出信号に基づき、前記プラズマディスプレイパネルにおいて過剰な壁電荷により異常な維持放電が発生する所定の低温時であるとき、当該プラズマディスプレイパネルを加熱するヒータ等の加熱手段と、を備えて構成される。
【００７０】
また、請求項２１に記載の発明は、請求項１１乃至２０のいずれか一項に記載のプラズマディスプレイパネルの温度補償装置と、外部から入力される表示データに基づき、前記プラズマディスプレイパネルを駆動する駆動手段を制御する表示データ制御部等の制御手段と、前記制御手段の制御のもと、前記プラズマディスプレイパネルを駆動するドライバ等の前記駆動手段と、前記駆動手段により駆動され、前記表示を行う前記プラズマディスプレイパネルと、を備えて構成される。
【００７８】
【作用】
請求項１に記載の発明によれば、検出工程において、プラズマディスプレイパネルの温度を検出する。
【００７９】
そして、輝度制御工程において、検出したプラズマディスプレイパネルの温度に基づき、温度の上昇に伴って生じるプラズマディスプレイパネルの輝度低下が補正されるように該輝度を制御する。
よって、プラズマディスプレイパネルの温度の上昇による輝度の変化を補償することができる。
【００８０】
請求項２に記載の発明によれば、検出工程において、プラズマディスプレイパネルを駆動するために維持パルスを印加する共通ドライバの温度を検出する。
そして、輝度制御工程において、検出した共通ドライバの温度に基づき、プラズマディスプレイパネルの輝度を制御する。
【００８１】
よって、共通ドライバの温度の変化（特に温度の上昇）による輝度の変化を補償することができる。
請求項３に記載の発明によれば、請求項１又は２のいずれかに記載の発明の作用に加えて、輝度制御工程において、維持放電パルスの数を制御することにより当該プラズマディスプレイパネルの輝度を制御する。
【００８２】
よって、高圧の電源系統等を変更すること無くプラズマディスプレイパネルの輝度の制御が可能である。
請求項４に記載の発明によれば、請求項１又は２のいずれかに記載の発明の作用に加えて、輝度制御工程において、維持放電パルス電圧を制御することにより当該プラズマディスプレイパネルの輝度を制御する。
【００８３】
よって、簡易な回路構成でプラズマディスプレイパネルの輝度の制御が可能である。
請求項５に記載の発明によれば、請求項１又は２のいずれかに記載の発明の作用に加えて、輝度制御工程において、表示されるべき表示データに含まれる階調値データを制御することにより当該プラズマディスプレイパネルの輝度を制御する。
【００８４】
よって、高圧の電源系統等を変更すること無くプラズマディスプレイパネルの輝度の制御が可能である。
請求項６に記載の発明によれば、検出工程において、プラズマディスプレイパネルの温度を検出する。
【００８５】
そして、検出したプラズマディスプレイパネルの温度に基づき、電圧制御工程において、アドレス放電における発光セル指定放電において発光させるべき発光セルに対応する電極に印加すべき印加パルス電圧を制御する。
【００８６】
よって、当該印加パルス電圧の許容範囲が、プラズマディスプレイパネルの温度により変動した場合でも、当該変動に対応して、印加パルス電圧を変化させることにより、常に印加パルス電圧を当該許容範囲内とすることができる。
【００８７】
請求項７に記載の発明によれば、検出工程において、プラズマディスプレイパネルの温度を検出する。
そして、電圧制御工程において、検出したプラズマディスプレイパネルの温度に基づき、アドレス放電における壁電荷蓄積放電において電圧が印加されるプラズマディスプレイパネルの電極に対する印加電圧を制御する。
【００８８】
よって、アドレス放電における発光セル指定放電において、発光させるべき発光セルに対応する電極に印加すべき印加パルス電圧の許容範囲が、プラズマディスプレイパネルの温度の変化（特に温度の上昇）により変動した場合でも、当該変動を、アドレス放電における壁電荷蓄積放電において電圧が印加されるプラズマディスプレイパネルの電極に対する印加電圧を制御することにより解消することができるので、常に印加パルス電圧を当該許容範囲内とすることができる。
【００８９】
請求項８に記載の発明によれば、検出工程において、プラズマディスプレイパネルの温度を検出する。
そして、信号制御工程において、検出したプラズマディスプレイパネルの温度に基づき、プラズマディスプレイパネルを駆動するための駆動信号のうち、プラズマディスプレイパネルを構成する発光セルを初期化するための初期化駆動信号の信号波形を制御する。
【００９０】
よって、アドレス放電における発光セル指定放電において、発光させるべき発光セルに対応する電極に印加すべき印加パルス電圧の許容範囲が、プラズマディスプレイパネルの温度の変化（特に温度の上昇）により変動した場合でも、当該変動を、初期化駆動信号の信号波形を制御することにより解消することができるので、常に印加パルス電圧を当該許容範囲内とすることができる。
【００９１】
請求項９に記載の発明によれば、検出工程において、プラズマディスプレイパネルの温度を検出する。
そして、信号制御工程において、検出したプラズマディスプレイパネルの温度に基づき、アドレス期間における駆動信号に対して、過剰な壁電荷を中和するための中和信号を付加するように制御する。
【００９２】
よって、過剰な壁電荷により、プラズマディスプレイパネルにおける維持放電において異常な維持放電が行われることを防止することができる。
請求項１０に記載の発明によれば、検出工程において、プラズマディスプレイパネルの温度を検出する。
【００９３】
そして、加熱工程において、検出したプラズマディスプレイパネルの温度に基づき、プラズマディスプレイパネルが所定の低温時であるとき、当該プラズマディスプレイパネルを加熱する。
【００９４】
よって、過剰な壁電荷により、プラズマディスプレイパネルにおける維持放電において異常な維持放電が行われることを低減することができる。
【０１０７】
請求項１１に記載の発明によれば、検出手段は、プラズマディスプレイパネルの温度を検出し、検出信号を出力する。
そして、輝度制御手段は、検出信号に基づき、温度の上昇に伴って生じるプラズマディスプレイパネルの輝度低下が補正されるように該輝度を制御する。
【０１０８】
よって、プラズマディスプレイパネルの温度の上昇による輝度の変化を補償することができる。
請求項１２に記載の発明によれば、検出手段は、プラズマディスプレイパネルを駆動するために維持パルスを印加する共通ドライバの温度を検出し、検出信号を出力する。
【０１０９】
そして、輝度制御手段は、検出信号に基づき、プラズマディスプレイパネルの輝度を制御する。
よって、共通ドライバの温度の変化（特に温度の上昇）による輝度の変化を補償することができる。
【０１１０】
請求項１３に記載の発明によれば、請求項１１又は１２のいずれかに記載の発明の作用に加えて、輝度制御手段は、プラズマディスプレイパネルにおける維持放電を行うための維持放電パルスの数を制御する。
【０１１１】
よって、高圧の電源系統等を変更すること無くプラズマディスプレイパネルの輝度の制御が可能である。
請求項１４に記載の発明によれば、請求項１１又は１２のいずれかに記載の発明の作用に加えて、輝度制御手段は、プラズマディスプレイパネルにおける維持放電を行うための維持放電パルス電圧を制御する。
【０１１２】
よって、簡易な回路構成でプラズマディスプレイパネルの輝度の制御が可能である。
請求項１５に記載の発明によれば、請求項１１又は１２のいずれかに記載の発明の作用に加えて、輝度制御手段は、プラズマディスプレイパネルにより表示されるべき表示データに含まれる階調値データを制御する。
【０１１３】
よって、高圧の電源系統等を変更すること無くプラズマディスプレイパネルの輝度の制御が可能である。
請求項１６に記載の発明によれば、検出手段は、プラズマディスプレイパネルの温度を検出し、検出信号を出力する。
【０１１４】
そして、電圧制御手段は、検出信号に基づき、アドレス放電における発光セル指定放電において、発光させるべき発光セルに対応する電極に印加すべき印加パルス電圧を制御する。
【０１１５】
よって、当該印加パルス電圧の許容範囲が、プラズマディスプレイパネルの温度により変動した場合でも、当該変動に対応して、印加パルス電圧を変化させることにより、常に印加パルス電圧を当該許容範囲内とすることができる。
【０１１６】
請求項１７に記載の発明によれば、検出手段は、プラズマディスプレイパネルの温度を検出し、検出信号を出力する。
そして、電圧制御手段は、検出信号に基づき、アドレス放電における壁電荷蓄積放電において、電圧が印加されるプラズマディスプレイパネルの電極に対する印加電圧を制御する。
【０１１７】
よって、アドレス放電における発光セル指定放電において、発光させるべき発光セルに対応する電極に印加すべき印加パルス電圧の許容範囲が、プラズマディスプレイパネルの温度の変化（特に温度の上昇）により変動した場合でも、当該変動を、アドレス放電における壁電荷蓄積放電において電圧が印加されるプラズマディスプレイパネルの電極に対する印加電圧を制御することにより解消することができるので、常に印加パルス電圧を当該許容範囲内とすることができる。
【０１１８】
請求項１８に記載の発明によれば、検出手段は、プラズマディスプレイパネルの温度を検出し、検出信号を出力する。
そして、信号制御手段は、検出信号に基づき、プラズマディスプレイパネルを構成する発光セルを初期化するための初期化駆動信号の信号波形を制御する。
【０１１９】
よって、アドレス放電における発光セル指定放電において、発光させるべき発光セルに対応する電極に印加すべき印加パルス電圧の許容範囲が、プラズマディスプレイパネルの温度の変化（特に温度の上昇）により変動した場合でも、当該変動を、初期化駆動信号の信号波形を制御することにより解消することができるので、常に印加パルス電圧を当該許容範囲内とすることができる。
【０１２０】
請求項１９に記載の発明によれば、検出手段は、プラズマディスプレイパネルの温度を検出し、検出信号を出力する。
そして、信号制御手段は、検出信号に基づき、アドレス期間における駆動信号に対して、過剰な壁電荷を中和するための中和信号を付加するように制御する。
【０１２１】
よって、過剰な壁電荷により、プラズマディスプレイパネルにおける維持放電において異常な維持放電が行われることを防止することができる。
請求項２０に記載の発明によれば、検出手段は、プラズマディスプレイパネルの温度を検出し、検出信号を出力する。
【０１２２】
そして、加熱手段は、検出信号に基づき、プラズマディスプレイパネルが所定の低温時であるとき、当該プラズマディスプレイパネルを加熱する。
よって、過剰な壁電荷により、プラズマディスプレイパネルにおける維持放電において異常な維持放電が行われることを低減することができる。
【０１２３】
請求項２１に記載の発明によれば、請求項１１乃至２０のいずれか一項に記載のプラズマディスプレイパネルの温度補償装置は、それぞれの作用によりプラズマディスプレイ又は駆動手段における温度補償を実行する。
【０１２４】
一方、制御手段は、外部から入力される表示データに基づき、プラズマディスプレイパネルを駆動する駆動手段を制御する。
そして、駆動手段は、制御手段の制御のもと、プラズマディスプレイパネルを駆動する。
【０１２５】
プラズマディスプレイパネルは、駆動手段により駆動され、表示を行う。
よって、プラズマディスプレイパネル又は駆動手段の温度が変動（特に上昇）した場合でも、これを補償し良好な表示画面が得られる。
【０１４１】
【実施例】
次に、本発明に好適な実施例及び参考例について、図１乃至図９を用いて説明する。
（Ｉ）装置構成
始めに、以下の各実施例及び参考例に係るプラズマディスプレイ表示装置の構成について、図１を用いて説明する。
【０１４２】
図１に示すように、実施例及び参考例に係るプラズマディスプレイ表示装置Ｓ１  は、上述の構成を有するＰＤＰ１と、後述の制御回路２からの制御信号ＳＡ  に基づいて、アドレス電極Ａ１  乃至ＡＭ  に対してアドレスパルスＰＡＡ及び書込パルスＰＡＷを印加するアドレスドライバ３と、後述の制御回路２からの制御信号ＳＸ  に基づいて、Ｘ電極Ｘ１  乃至ＸＮ  に対して後述の書込パルスＰＸＷ及び維持パルスＰＸＳを印加する駆動手段としてのＸ共通ドライバ４と、Ｘ共通ドライバ４の温度を検出し、検出信号ＳＴＸを出力する第２検出手段（検出手段）としての熱電対等の温度検出器５と、後述の制御回路２からの制御信号ＳＹＳに基づいて、Ｙ電極Ｙ１  乃至ＹＮ  に対してスキャンパルスＰＡＹを印加する駆動手段としてのＹスキャンドライバ６と、後述の制御回路２からの制御信号ＳＹＣに基づいて、Ｙスキャンドライバ６を介してＹ電極Ｙ１  乃至ＹＮ  に対して維持パルスＰＹＳを印加する駆動手段としてのＹ共通ドライバ７と、Ｙ共通ドライバ７の温度を検出し、検出信号ＳＴＹを出力する第２検出手段（検出手段）としての熱電対等の温度検出器８と、後述のマイコン９０の制御の下、ＰＤＰ１を加熱するヒータ等の加熱手段としてのパネル加熱装置９と、ＰＤＰ１の温度を検出し、検出信号ＳＴＰを出力する第１検出手段（検出手段）としての温度検出器１０と、所定の信号（ドットクロックＣＬＫ、表示データＤＡＴＡ、垂直同期信号ＶＳＹＮＣ及び水平同期信号ＨＳＹＮＣ等）及び後述のマイコン９０の制御に基づき、ＰＤＰ１の駆動を制御する制御手段としての制御回路２と、駆動用高圧入力部ＩＮＶ  から入力した高圧電力を後述のマイコン９０の制御の下、ＰＤＰ１に印加される各パルスのため電圧変換する電圧変換部４０と、ＰＤＰ１に印加される各パルスの波形を予め記憶し、後述のマイコン９０の制御の下、所望のパルスの波形を出力する駆動波形領域５０Ａ及び維持パルス数設定領域５０Ｂを有するＥＰ−ＲＯＭ（Ｅｒａｓａｂｌｅ  ａｎｄ  Ｐｒｏｇｒａｍｍａｂｌｅ−Ｒｅａｄ  Ｏｎｌｙ  Ｍｅｍｏｒｙ）５０と、装置内の温度を検出する装置内雰囲気温度検出器６０と、後述のマイコン９０の制御の下、警告手段としてのＬＥＤ７０の表示を制御する制御回路７１と、後述のマイコン９０の制御の下、冷却手段としての空冷装置８０の動作を制御する制御回路８１と、後述のマイコン９０の制御の下、電圧変換部４０及び制御回路２への高電圧の印加を禁止する禁止手段としてのリレー制御部９１と、プラズマディスプレイ表示装置Ｓ１  全体の消費電力を検出する消費電力検出部９２と、プラズマディスプレイ表示装置Ｓ１  全体を制御する輝度制御手段、電圧制御手段、信号制御手段としてのマイコン９０と、により構成されている。上記の構成において、各ドライバには、制御信号ＳＡ  、ＳＹＳ、ＳＹＣ及びＳＸ  とともに、各ドライバを駆動するための高圧電力も印加されている。また、表示データＤＡＴＡは、表示データ入力部ＩＮを介して外部より入力される。
【０１４３】
また、制御回路２は、ドットクロックＣＬＫ及び表示データＤＡＴＡ（予め、Ｒ、Ｇ及びＢに相当するデータに分割されている。）及びマイコン９０の制御に基づき、表示データＤＡＴＡにおける一のフレームに対応するフレームデータを複数のサブフレームデータに時分割し、当該サブフレームデータに基づく制御信号ＳＡ  を出力する表示データ制御部１１と、垂直同期信号ＶＳＹＮＣ及び水平同期信号ＨＳＹＮＣ及びマイコン９０の制御に基づき制御信号ＳＸ  、ＳＹＳ、ＳＹＣを出力するパネル駆動制御部１２とにより構成される。ここで、表示データ制御部１１とパネル駆動制御部１２は互いに必要なデータの授受を行っている。
【０１４４】
更に、表示データ制御部１１は、入力された表示データＤＡＴＡを１フレームづつ一時的に記憶するフレームメモリ２０及び２２と、マイコン９０の制御の下、表示データＤＡＴＡにおける階調数を補正する減算器２１とにより構成されている。
【０１４５】
パネル駆動制御部１２は、表示データ制御部１１により補正されたサブフレームデータに含まれるスキャンパルスＰＡＹ並びに垂直同期信号ＶＳＹＮＣ及び水平同期信号ＨＳＹＮＣに基づき、制御信号ＳＹＳを出力するスキャンドライバ制御部３０と、表示データ制御部１１により補正されたサブフレームデータに含まれる維持パルスＰＸＳ、ＰＹＳの数並びに垂直同期信号ＶＳＹＮＣ及び水平同期信号ＨＳＹＮＣに基づき、制御信号ＳＹＣ及びＳＸ  を出力する共通ドライバ制御部３１と、により構成されている。
更に、電圧変換部４０は、駆動用高圧入力部ＩＮＶ  を介して図示しない外部高電圧発生装置から入力した高圧電力に基づき、書込パルスＰＡＷ及びアドレスパルスＰＡＡを発生させるためにアドレス電極Ａ１  乃至ＡＭ  に供給される高圧電力を発生するＶａ  電源部４１と、駆動用高圧入力部ＩＮＶ  から入力した高圧電力に基づき、書込パルスＰＸＷを発生させるためにＸ電極Ｘ１  乃至ＸＮ  に供給される高圧電力を発生するＶＷ  電源部４２と、駆動用高圧入力部ＩＮＶ  から入力した高圧電力に基づき、アドレス期間における主アドレス放電（壁電荷蓄積放電）のためにＹ電極Ｙ１  乃至ＹＮ  に供給される高圧電力を発生するＶＳＣ電源部４３と、駆動用高圧入力部ＩＮＶ  から入力した高圧電力に基づき、マイコン９０の制御の下、アドレス期間におけるスキャンパルスＰＡＹを発生させるためにＹ電極Ｙ１  乃至ＹＮ  に供給される高圧電力を発生するＶｙ  電源部４４と、駆動用高圧入力部ＩＮＶ  から入力した高圧電力に基づき、マイコン９０の制御の下、アドレス期間における主アドレス放電（壁電荷蓄積放電）のためにＸ電極Ｘ１  乃至ＸＮ  に供給される高圧電力（Ｘアドレス電圧ＶＸ  ）を発生するＶＸ  電源部４５と、により構成されている。
【０１４６】
また、マイコン９０は、維持放電電圧（維持パルスの電圧）基準電圧出力部ＯＵＴに接続されており、これにより、維持放電電圧を発生するための図示しない外部高電圧発生装置を制御して駆動用高圧入力部ＩＮＶ  から入力される電力の電圧を制御し、維持放電電圧を制御することが可能とされている。
【０１４７】
以上の構成を有する各実施例及び参考例のプラズマディスプレイ表示装置Ｓ１  における動作について、以下、各実施例及び参考例毎に説明する。
（ＩＩ）第１実施例
始めに、請求項１、２、３、１１、１２、１３、２１に記載の発明に対応する第１の実施例の動作について図１及び図２を用いて説明する。
【０１４８】
第１実施例においては、ＰＤＰ１の表面温度が温度検出器１０により検出され、更にＸ共通ドライバ４及びＹ共通ドライバ７の温度がそれぞれ温度検出器５及び８により検出される。そして、それぞれの温度検出器から出力される検出信号ＳＴＰ、ＳＴＸ及びＳＴＹに基づき、ＰＤＰ１自体又は各共通ドライバの温度上昇により低下したＰＤＰ１の輝度が補正される。より具体的には、維持パルスＰＸＳ及びＰＹＳの数が補正される。
【０１４９】
先ず、図２に維持パルス数と輝度の関係を示す。図２においては、一の維持パルスＰＸＳと一の維持パルスＰＹＳを一組として維持パルスの数を計数している。
図２に示すように、維持パルス数と輝度は比例しており、この例では、０．４カンデラ／個、つまり維持パルス１個に付き０．４カンデラの調整（維持パルスを１個増加すると、輝度が０．４カンデラ明るくなる。）が可能であることが分かる。
【０１５０】
より具体的には、輝度をＢ、パルス数をＰ１  すると下記式（１）が成り立つ。
Ｂ＝０．４×Ｐ１                                …（１）
図１５（ａ）の輝度対パネル温度特性の例では、−０．３３カンデラ／℃であり、これはＰＤＰ（以下、単にパネルともいう。）の温度が１℃上昇すると輝度が０．３３カンデラ低下することを示している。図１５（ａ）に示す関係により、パネル温度変化分をΔＴｐ  とすると下記式（２）が成り立つ。
【０１５１】
Ｂ＝−０．３３×ΔＴｐ                        …（２）
式（１）と式（２）により下記式（３）が導かれる。
0003571805.tif 000002
この式（３）は１℃のパネル温度上昇に対する輝度補正として、維持パルス数を０．８２５個増加させればよいことを示す。
【０１５２】
同様に、図１５（ｂ）の輝度対ＦＥＴ（ドライバ）温度特性の例では、パネル温度と同様に−０．３３カンデラ／℃であり、これはＦＥＴ温度が１℃上昇すると輝度が０．３３カンデラ低下することを示している。ＦＥＴ温度変化分をΔＴｆ  とすると下記式（４）が成り立つ。
【０１５３】
Ｂ＝−０．３３×ΔＴｆ                        …（４）
ここで、式（１）と式（４）により下記式（５）が導かれる。
0003571805.tif 000003
式（５）は１℃のＦＥＴ温度上昇に対する輝度補正として、維持パルス数を０．８２５個増加させればよいことを示す。
【０１５４】
以上の検討から、式（３）と式（５）に示す輝度の補正を同時に行えば、温度上昇に伴う輝度補正が実現可能となる。すなわち、式（３）と式（５）を加算することにより、各温度変化分に対する補正を同時に行うための増加分の維持パルス数Ｐ’が下記式（６）により求まる。
【０１５５】
Ｐ’＝−０．８７５×（ΔＴｐ  ＋ΔＴｆ  ）    …（６）
上記式（６）は１℃のＦＥＴ温度上昇あるいはパネルの温度上昇に対する輝度補正として、維持放電パルス数を０．８２５個増加させればよいことを示す。但し、実際の制御についてＰ’は小数点以下を四捨五入する必要がある。
【０１５６】
次に、上記式（６）を実現する具体的動作について説明する。
始めに、ＰＤＰ１の表面温度が温度検出器１０により検出され、検出信号ＳＴＰが出力される。この温度検出器１０はパネルの温度を正確に測定するためにできるだけパネルに密着させることが好ましい。
【０１５７】
更に、Ｘ共通ドライバ４及びＹ共通ドライバ７の温度がそれぞれ温度検出器５及び８により検出され、それぞれ検出信号ＳＴＸ及びＳＴＹが出力される。この温度検出器５及び８に関してもＦＥＴの電気的特性及び放熱特性を妨げないことを前提としてできるだけ素子の近くに配置することが望ましい。
【０１５８】
上記の検出信号ＳＴＰ、ＳＴＸ及びＳＴＹは、マイコン９０に入力され、ＰＤＰ１、Ｘ共通ドライバ４及びＹ共通ドライバ７の温度情報がマイコン９０により取得され当該マイコン９０による温度情報処理が可能となる。
【０１５９】
ここで、マイコン９０は複数の維持放電パルス数を記憶したＥＰ−ＲＯＭ５０のアドレス選択端子に接続されてり、これにより維持放電パルス数のマイコン制御が可能となる。より具体的にはマイコン９０はＸ共通ドライバ４及びＹ共通ドライバ７の温度情報である検出信号ＳＴＸ及びＳＴＹに対応する温度の平均値を求め、基準値となる２５℃との差ΔＴｆ  を算出し、次に、ＰＤＰ１の温度情報である検出信号ＳＴＰと基準値との差ΔＴｐ  を算出し、上記式（６）に基づき、基準維持パルスＰＲ  に対する補正数Ｐ’を算出する。そして、基準維持パルスＰＲ  と補正数Ｐ’の和が算出され、その結果がマイコン９０からＥＰ−ＲＯＭ５０の維持パルス数設定領域５０Ｂの選択アドレス信号となる。このＥＰ−ＲＯＭ５０には、基準維持パルス数に対する各サブフィールドの維持放電パルス数が予め設定されており、これに基づき、上記の基準維持パルスＰＲ  と補正数Ｐ’の和が、当該サブフレームにおける維持パルス数としてパネル駆動制御部１２に出力され、パネル駆動制御部１２の共通ドライバ制御部３１により、補正された維持パルス数に対応する維持パルスが出力され、温度情報による輝度低下が補正される。
【０１６０】
以上説明したように、第１実施例によれば、高圧系の変更なしに温度情報による輝度微調整（輝度補正）が可能であり、また、例えばマイコン等による制御をおこなっている場合ソフトウエアの変更のみで制御（輝度補正）が可能となる利点がある。
（ＩＩＩ  ）第２実施例
次に、請求項１、２、４、１１、１２、１４、２１に記載の発明に対応する第２の実施例の動作について図１及び図３を用いて説明する。
【０１６１】
第２実施例においては、ＰＤＰ１の表面温度が温度検出器１０により検出され、更にＸ共通ドライバ４及びＹ共通ドライバ７の温度がそれぞれ温度検出器５及び８により検出される。そして、それぞれの温度検出器から出力される検出信号ＳＴＰ、ＳＴＸ及びＳＴＹに基づき、ＰＤＰ１自体又は各共通ドライバの温度上昇により低下したＰＤＰ１の輝度が補正される。より具体的には、維持パルスＰＸＳ及びＰＹＳの電圧（以下、維持放電電圧ＶＳ  という。）が補正される。
【０１６２】
図３に維持放電電圧ＶＳ  とＰＤＰ１の輝度との関係を示す。
図３に示すように、維持放電電圧ＶＳ  の値には輝度が比例しており、この例では２．５カンデラ／ＶＳ  、つまり維持放電電圧Ｖｓ１ボルトに付き２．５カンデラの調整が可能であることが分かる。輝度をＢ、維持放電電圧をＶＳ  とすると下記式（７）が成り立つ。
【０１６３】
Ｂ＝２．５×ＶＳ                              …（７）
ここで、第１実施例と同様に、パネル温度が１℃上昇すると輝度は０．３３カンデラ低下するから、パネル温度変化分をΔＴｐ  とすると下記式（８）が成り立つ。
【０１６４】
Ｂ＝−０．３３×ΔＴｐ                        …（８）
式（７）の維持放電電圧ＶＳ  を維持放電電圧ＶＳ１とすると、式（７）と式（８）により下記式（９）が導かれる。
【０１６５】
0003571805.tif 000004
上記式（９）は１℃のパネル温度上昇に対する輝度補正として、維持放電電圧ＶＳ  を０．１３２Ｖ増加すればよいことを示す。
【０１６６】
また、第１実施例と同様に、これはＦＥＴ温度が１℃上昇すると輝度が０．３３カンデラ低下する。よって、ＦＥＴ温度変化分をΔＴｆ  とすると（１０）式が成り立つ。
【０１６７】
Ｂ＝−０．３３×ΔＴｆ                        …（１０）
式（７）のＶＳ  をＶＳ２とすると、式（７）と式（１０）により式（１１）が導かれる。
【０１６８】
0003571805.tif 000005
式（１１）は１℃のＦＥＴ温度上昇に対する輝度補正として、ＶＳ  を０．１３２Ｖ増加すればよいことを示す。
【０１６９】
以上の検討から、式（９）と式（１１）による輝度補正を同時に行えば目的の輝度補正が実現可能となり、このときの各温度変化分と制御を行う補正維持放電電圧ＶＳ３の関係を式（１２）に示す。
【０１７０】
0003571805.tif 000006
上記式（１２）は１℃のＦＥＴ温度上昇あるいはパネルの温度上昇に対する輝度補正として、維持放電電圧ＶＳ  を０．１３２Ｖ増加すればよいことを示す。
【０１７１】
次に、上記式（１２）を実現する具体的動作について説明する。
始めに、ＰＤＰ１の表面温度の検出及びＸ共通ドライバ４及びＹ共通ドライバ７の温度の検出については第１実施例と同様であるので、細部の説明は省略する。
【０１７２】
マイコン９０はＸ共通ドライバ４及びＹ共通ドライバ７の温度情報である検出信号ＳＴＸ及びＳＴＹに対応する温度の平均値を求め、基準値となる５５℃との差ΔＴｆ  を算出する。これと平行して、マイコン９０は、ＰＤＰ１の温度情報である検出信号ＳＴＰに対応する温度と、基準値との差ΔＴｐ  を算出し、上記式（１２）に基づき、基準維持放電電圧ＶＳＲに対する補正数ＶＳ３を算出する。
【０１７３】
ここで、上述のように、マイコン９０は維持放電電圧基準電圧出力部ＯＵＴに接続されており、これにより維持放電電圧ＶＳ  のマイコン９０による制御が可能となっていので、マイコン９０は基準維持放電電圧ＶＳＲと補正数ＶＳ３の和を算出し、その結果が維持放電電圧基準電圧出力部ＯＵＴから外部の高電圧発生装置へ出力され、駆動用高圧入力部ＩＮＶ  に入力されるべき電圧値の基準となり、当該基準地に基づき、共通ドライバ制御部３１により維持放電電圧ＶＳ  が設定される。
【０１７４】
以上説明したように、第２実施例によれば、簡易な回路構成により温度情報に基づく輝度微調整（輝度補正）が可能である。
（ＩＶ）第３実施例
次に、請求項１、２、５、１１、１２、１５、２１に記載の発明に対応する第３の実施例の動作について図１及び図４を用いて説明する。
【０１７５】
第３実施例においては、ＰＤＰ１の表面温度が温度検出器１０により検出され、更にＸ共通ドライバ４及びＹ共通ドライバ７の温度がそれぞれ温度検出器５及び８により検出される。そして、それぞれの温度検出器から出力される検出信号ＳＴＰ、ＳＴＸ及びＳＴＹに基づき、ＰＤＰ１自体又は各共通ドライバの温度上昇により低下したＰＤＰ１の輝度が補正される。より具体的には、表示データＤＡＴＡにおける各サブフレームの階調値データが補正される。
【０１７６】
図４に階調値と輝度との関係を示す。
図４に示しように、階調値に輝度が比例しており、この例では０．７８カンデラ／ＳＴＥＰ、つまり階調値１ステップに付き０．７８カンデラの調整が可能であることが分かる。
【０１７７】
輝度をＢ、階調ステップをＳとすると下記式（１３）が成り立つ。
Ｂ＝０．７８×Ｓ                            …（１３）
ここで、第１実施例と同様に、ＰＤＰ１の温度が１℃上昇すると輝度は０．３３カンデラ低下する。そこで、パネル温度変化分をΔＴｐ  とすると下記式（１４）が成り立つ。
【０１７８】
Ｂ＝−０．３３×ΔＴｐ                        …（１４）
上記式（１３）のＳをＳ１  とすると、式（１３）と式（１４）により下記式（１５）が導かれる。
【０１７９】
0003571805.tif 000007
上記式（１５）は１℃のパネル温度上昇に対する輝度補正として、階調値を０．４２３ｓｔｅｐ増加すればよいことを示す。
【０１８０】
また、第１実施例と同様に、ＦＥＴ温度が１℃上昇すると輝度は０．３３カンデラ低下する。そこで、ＦＥＴ温度変化分をΔＴｆ  とすると下記式（１６）が成り立つ。
【０１８１】
Ｂ＝−０．３３×ΔＴｆ                        …（１６）
上記（１３）のＳをＳ２  とすると、式（１３）と式（１６）により下記式（１７）が導かれる。
【０１８２】
0003571805.tif 000008
（１７）式は１℃のＦＥＴ温度上昇に対する輝度補正として、階調値を０．４２３ｓｔｅｐ増加すればよいことを示す。
【０１８３】
以上の検討のように、式（１５）及び式（１７）における輝度補正を同時に行えば目的の輝度補正が実現可能となる。このときの各温度変化分と制御を行う補正階調値Ｓ３  の関係を下記式（１８）に示す。
【０１８４】
0003571805.tif 000009
式（１８）は１℃のＦＥＴ温度上昇あるいはＰＤＰ１の温度上昇に対する輝度補正として、階調値を０．４２３ｓｔｅｐ増加すればよいことを示す。
【０１８５】
次に、上記式（１８）を実現する具体的動作について説明する。
ＰＤＰ１の表面温度の検出及びＸ共通ドライバ４及びＹ共通ドライバ７の温度の検出については第１実施例と同様であるので、細部の説明は省略する。
【０１８６】
マイコン９０は、表示データ制御部１１に接続されており、表示データ制御部１１ではマイコン９０からの減算データに基づき各発光セルＣの階調値の減算を行っている。これにより、階調値のマイコン９０による制御が可能となる。
【０１８７】
マイコン９０はＸ共通ドライバ４及びＹ共通ドライバ７の温度情報である検出信号ＳＴＸ及びＳＴＹに対応する温度の平均値を求め、基準値となる５５℃との差ΔＴｆ  を算出し、次に、ＰＤＰ１の温度情報である検出信号ＳＴＰと基準値２５℃との差ΔＴｐ  を算出し、上記式（１８）に基づき、補正階調値Ｓ３  を算出し、その結果を表示データ制御部１１に出力する。
【０１８８】
表示データ制御部１１ではマイコン９０からの補正階調値Ｓ３  のデータを元に、表示データ入力部ＩＮから入力された表示データＤＡＴＡの変換を行う。表示データＤＡＴＡは垂直同期期間ｎにおいて一旦フレームメモリ２０に記憶保持される。次の垂直同期機関ｎ＋１でフレームメモリ２０のデータは減算器２１を介して輝度補正分の階調値を差し引いた後、制御信号ＳＡ  に含まれる表示データとしてアドレスドライバ３に出力されＰＤＰ１に画像が表示される。この垂直同期期間ｎ＋１において表示データ制御部１１に入力される表示データＤＡＴＡはフレームメモリ２２に記憶保持される。
【０１８９】
以上の動作を二つのフレームメモリ２０及び２２に交互に動作させることにより、表示データの処理を行い、これら一連の動作により温度上昇による輝度低下の補正が実現される。
【０１９０】
以上説明したように、第３実施例によれば、高圧系の変更なしに輝度微調整が可能であり、また例えばマイコン等による制御を行っている場合ソフトウエアの変更のみで様々な制御が可能となるとともに、消費電力を増加させずに輝度補正を制御できる。
（Ｖ）第４実施例
次に、請求項６、１６、２１に記載の発明に対応する第４の実施例について図１、図５に基づいて説明する。
【０１９１】
上述のように、全ての選択された発光セルＣに正常にアドレス放電を行うために最低限必要なスキャンパルスＰＡＹの電圧値である最小アドレス電圧Ｖｙｍｉｎは、図１６に示す通り温度が上昇するに従って大きくなってしまう。
【０１９２】
一方、全ての選択されていない発光セルＣがオーバライトしない最大のスキャンパルスＰＡＹの電圧値であるオーバライト電圧ＯＷＶｙｍａｘは、図１６に示す通り温度が低下するに従って小さくなってしまう。
【０１９３】
そこで、第４実施例では、スキャンパルスＰＡＹの電圧値Ｖｙ  がＰＤＰ１の温度に基づいて可変とされ、常に、最小アドレス電圧Ｖｙｍｉｎとオーバライト電圧ＯＷＶｙｍａｘで設定される適正範囲内とされる。
【０１９４】
図１６の例では、最小アドレス電圧Ｖｙｍｉｎとオーバライト電圧ＯＷＶｙｍａｘ共に１℃の温度上昇に対して０．１７ボルトの変動がある。ＰＤＰ１の温度変動をΔＴｐ  、最小アドレス電圧Ｖｙｍｉｎの変動をΔＶｙｍｉｎ、オーバライト電圧ＯＷＶｙｍａｘの変動をΔＶｙｍａｘとすると下記式（１９）及び式（２０）が成り立つ。
【０１９５】
ΔＶｙｍｉｎ    ＝０．１７×ΔＴｐ                    …（１９）
ΔＯＷＶｙｍａｘ＝０．１７×ΔＴｐ                    …（２０）
スキャンパルスＰＡＹの電圧値Ｖｙ  の設定値は一般に最小アドレス電圧Ｖｙｍｉｎとオーバライト電圧Ｖｙｍａｘの中間とするのが好ましいことから、スキャンパルスＰＡＹの電圧値Ｖｙ  の設定値の補正値をΔＶｙ  とすると上記式（１９）と式（２０）により下記式（２１）が成り立つ。
【０１９６】
ΔＶｙ  ＝０．１７×ΔＴｐ                      …（２１）
式（２１）は１℃の温度上昇に対し、スキャンパルスＰＡＹの電圧値Ｖｙ  を０．１７ボルト大きくすればよいことを示している。
【０１９７】
次に、上記式（２１）を実現する具体的動作について説明する。
ＰＤＰ１の表面温度の検出については第１実施例と同様であるので、細部の説明は省略する。
【０１９８】
マイコン９０は電圧変換部４０内のＶｙ  電源部４４に接続されており、アドレス放電を行うためのスキャンパルスＰＡＹの電圧値Ｖｙ  をマイコン９０により制御することが可能となっている。
【０１９９】
そこで、マイコン９０はＰＤＰ１の温度情報である検出信号ＳＴＰに対応する温度と基準値２５℃との差ΔＴｐ  を算出し、式（２１）に基づき、スキャンパルスＰＡＹの電圧値Ｖｙ  における基準電位に対する補正値ΔＶｙ  を算出する。次にマイコン９０はスキャンパルスＰＡＹの電圧値Ｖｙ  と補正値ΔＶｙ  の和を算出し、その結果を電圧変換部４０内のＶｙ  電源部４４に出力する。これにより、スキャンパルスＰＡＹの電圧値Ｖｙ  の補正制御が可能となる。
【０２００】
以上説明したように、第４実施例によれば、温度変動による駆動マージン変動に対応することができ、図５に示すように、駆動マージンの幅が狭い場合においても、常にスキャンパルスＰＡＹの電圧値Ｖｙ  が適性範囲内となり、駆動マージンの幅が広い場合と同様の良好な表示が実現可能となる。
（ＶＩ）第５実施例
次に、請求項７、１７、２１に記載の発明に対応する第５の実施例について図１、図６に基づいて説明する。
【０２０１】
第５実施例においては、スキャンパルスＰＡＹの電圧値Ｖｙ  を常に適性範囲内とする方法として、最小アドレス電圧Ｖｙｍｉｎとオーバライト電圧ＯＷＶｙｍａｘを変化させる。より具体的には、壁電荷蓄積期間においてＸ電極Ｘ１  乃至ＸＮ  に印加される電圧（Ｘアドレス電圧ＶＸ  ）を制御し、これにより、オーバライト電圧Ｖｙｍａｘに関しては、低温時には高く、高温時には低くなるように変化させ、最小アドレス電圧Ｖｙｍｉｎに関しても、同様に低温時には高く、高温時には低くなるように変化させる。
【０２０２】
ここで、図６に、Ｘアドレス電圧ＶＸ  とオーバライト電圧ＯＷＶｙｍａｘ及び最小アドレス電圧Ｖｙｍｉｎの関係を示す。
図６に示すように、Ｘアドレス電圧ＶＸ  が低い時はオーバライト電圧ＯＷＶｙｍａｘが高い反面、最小アドレス電圧Ｖｙｍｉｎは上昇する。これに対し、Ｘアドレス電圧ＶＸ  が高い時は最小アドレス電圧Ｖｙｍｉｎが低い反面オーバライト電圧ＯＷＶｙｍａｘは低い。よって、Ｘアドレス電圧ＶＸ  を制御することにより、温度によるスキャンパルスＰＡＹの電圧値Ｖｙ  の適性範囲の変動を補正することが可能であり、具体的には、高温時はＸアドレス電圧ＶＸ  を高く、低温時にはＸアドレス電圧ＶＸ  を低く制御すればよい。
【０２０３】
より具体的には、ＰＤＰ１の温度変動をΔＴＰ  、最小アドレス電圧Ｖｙｍｉｎの変動をΔＶｙｍｉｎ、オーバライト電圧ＯＷＶｙｍａｘの変動をΔＯＷＶｙｍａｘとすると図１６又は図１７の例では下記式（１９）及び式（２０）が成り立つ。
【０２０４】
ΔＶｙｍｉｎ    ＝０．１７×ΔＴｐ                    …（１９）
ΔＯＷＶｙｍａｘ＝０．１７×ΔＴｐ                    …（２０）
図６に示すのスキャンパルスＰＡＹの電圧値Ｖｙ  とＸアドレス電圧ＶＸ  の関係では、Ｘアドレス電圧ＶＸ  の変化分ΔＶＸ  に対する最小アドレス電圧Ｖｙｍｉｎの変動をΔＶｙｍｉｎ、オーバライト電圧ＯＷＶｙｍａｘの変動をΔＯＷＶｙｍａｘとすると下記式（２１）及び式（２２）が成り立つ。
【０２０５】
ΔＶｙｍｉｎ    ＝−０．５×ΔＶＸ                    …（２１）
ΔＯＷＶｙｍａｘ＝−０．５×ΔＶＸ                    …（２２）
上記式（１９）及び式（２１）並びに、式（２０）及び式（２２）からそれぞれ下記の式（２３）及び式（２４）が導き出すことができる。
【０２０６】
ΔＶＸ  ＝−０．３４×ΔＶｐ                    …（２３）
ΔＶＸ  ＝−０．３４×ΔＶｐ                    …（２４）
上記式（２３）及び式（２４）は共に、１℃の温度上昇に対してＶＸ  を０．３４ボルト低下させることにより、ＰＤＰ１の温度変動による最小アドレス電圧Ｖｙｍｉｎ及びオーバライト電圧ＯＷＶｙｍａｘの変動を解消することができ、ＰＤＰ１の温度が変動しても、図７に示すように、常に最小アドレス電圧Ｖｙｍｉｎ及びオーバライト電圧ＯＷＶｙｍａｘを略一定にすることができることを示している。
【０２０７】
次に、上記式（２３）及び式（２４）を実現する具体的動作について説明する。
ＰＤＰ１の表面温度の検出については第１実施例と同様であるので、細部の説明は省略する。
【０２０８】
マイコン９０は電圧変換部４０内のＶＸ  電源部４５に接続されており、Ｘアドレス電圧ＶＸ  をマイコン９０により制御することが可能となっている。マイコン９０はＰＤＰ１の温度情報である検出信号ＳＴＰに対応する温度と基準値２５℃との差ΔＴｐ  を算出し、式（２３）に基づき、基準Ｘアドレス電圧ＶＸＲに対する補正値ΔＶＸ  を算出する。次にマイコンは基準Ｘアドレス電圧ＶＸＲと補正値ΔＶＸ  の和を算出し、その結果をＶＸ  電源部４５に出力する。これにより、最小アドレス電圧Ｖｙｍｉｎ及びオーバライト電圧ＯＷＶｙｍａｘの変動の解消が可能となる。
【０２０９】
以上説明したように、第５実施例によれば、温度変動による駆動マージン変動を解消することができ、図７に示すように駆動マージンの幅が狭い場合においても、スキャンパルスＰＡＹの電圧値Ｖｙ  を略一定としても常にスキャンパルスＰＡＹの電圧値Ｖｙ  が適性範囲内となり、駆動マージンの幅が広い場合と同様の良好な表示が実現可能となる。
（ＶＩＩ  ）第６実施例
次に、請求項８、１８、２１に記載の発明に対応する第６の実施例について図１、図７及び図８に基づいて説明する。
【０２１０】
第６実施例においては、スキャンパルスＰＡＹの電圧値Ｖｙ  を常に適性範囲内とする方法として、最小アドレス電圧Ｖｙｍｉｎとオーバライト電圧ＯＷＶｙｍａｘを変化させる。より具体的には、リセット期間においてＸ電極Ｘ１  乃至ＸＮ  に印加される駆動電圧の波形における自己消去期間ＴＳＥの長さを制御することにより、オーバライト電圧Ｖｙｍａｘに関しては、低温時には高く、高温時には低くなるように変化させ、最小アドレス電圧Ｖｙｍｉｎに関しても、同様に低温時には高く、高温時には低くなるように変化させる。
【０２１１】
ここで、上述のように、リセット期間は書込パルスによる全面書き込みと自己消去の二つの動作から構成されており、自己消去能力を決定するパラメータの一つのとして自己消去期間ＴＳＥがある。この自己消去期間ＴＳＥが長いほど自己消去はより完璧なものとなる。
【０２１２】
今、図８に、自己消去期間ＴＳＥとオーバライト電圧ＯＷＶｙｍａｘ及び最小アドレス電圧Ｖｙｍｉｎの関係を示す。
図８に示すように、自己消去期間ＴＳＥが長いほど自己消去はより完璧なものとなり、その結果として最小アドレス電圧Ｖｙｍｉｎ及びオーバライト電圧ＯＷＶｙｍａｘは低下することがわかる。そこで、自己消去期間ＴＳＥを制御することにより、温度によるスキャンパルスＰＡＹの電圧値Ｖｙ  の適性範囲の変動を補正することが可能であり、具体的には、高温時は自己消去期間ＴＳＥを長く、低温時には自己消去期間ＴＳＥを短く制御すればよい。
【０２１３】
今、自己消去期間ＴＳＥの変化分ΔＴＳＥに対する最小アドレス電圧Ｖｙｍｉｎの変動をΔＶｙｍｉｎ、オーバライト電圧ＯＷＶｙｍａｘの変動をΔＯＷＶｙｍａｘとすると、図８に示す場合、下記式（２５）及び式（２６）が成り立つ。
【０２１４】
ΔＶｙｍｉｎ    ＝−０．１７×ΔＴＳＥ              …（２５）
ΔＯＷＶｙｍａｘ＝−０．１７×ΔＴＳＥ              …（２６）
ここで、ＰＤＰ１の温度変動をΔＴｐ  とすると図１６の例では下記式（１９）及び式（２０）が成り立つ。
【０２１５】
ΔＶｙｍｉｎ    ＝０．１７×ΔＴｐ                    …（１９）
ΔＯＷＶｙｍａｘ＝０．１７×ΔＴｐ                    …（２０）
上記式（２５）と式（１９）及び式（２６）と式（２０）からそれぞれ式（２７）及び式（２８）が導かれる。
【０２１６】
ΔＴＳＥ＝−ΔＴｐ                        …（２７）
ΔＴＳＥ＝−ΔＴｐ                        …（２８）
上記式（２７）及び式（２８）は共に、１℃のＰＤＰ１の温度上昇に対して自己消去期間ＴＳＥを１μｓｅｃ短くすることにより、ＰＤＰ１の温度変動による最小アドレス電圧Ｖｙｍｉｎ及びオーバライト電圧ＯＷＶｙｍａｘの変動を解消することができ、ＰＤＰ１の温度が変動しても、図７に示すように、常に最小アドレス電圧Ｖｙｍｉｎ及びオーバライト電圧ＯＷＶｙｍａｘを略一定にすることができることを示している。
【０２１７】
次に、上記式（２７）及び式（２８）を実現する具体的動作について説明する。
ＰＤＰ１の表面温度の検出については第１実施例と同様であるので、細部の説明は省略する。
【０２１８】
マイコン９０はＰＤＰ１の温度情報である検出信号ＳＴＰに対応する温度と、基準値２５℃との差ΔＴｐ  を算出し、式（２７）に基づき、基準自己消去期間ＴＳＥＲ  に対する補正値ΔＴＳＥを算出する。
【０２１９】
次にマイコン９０は基準自己消去期間ＴＳＥＲ  と補正値ΔＴＳＥの和を算出し、その結果がＥＰ−ＲＯＭ５０内の駆動波形領域５０Ａの波形選択アドレスに出力され、二種類以上の任意の駆動波形の内、目的の自己消去期間ＴＳＥを有する波形が選択され、リセット期間におけるＸ電極Ｘ１  乃至ＸＮ  の駆動波形としてパネル駆動部１２に出力され、各ドライバが駆動される。
【０２２０】
以上説明したように、第６実施例によれば、温度変動による駆動マージン変動を解消することができ、駆動マージンの幅が狭い場合においても、スキャンパルスＰＡＹの電圧値Ｖｙ  を略一定としても常にスキャンパルスＰＡＹの電圧値Ｖｙ  が適性範囲内となり、駆動マージンの幅が広い場合と同様の良好な表示が実現可能となる。
（ＶＩＩＩ）第７実施例
次に、請求項９、１９、２１に記載の発明に対応する第７の実施例について図１及び図９に基づいて説明する。
【０２２１】
第７実施例においては、アドレス期間における異常放電（以下、アドレス強放電という。）により過剰な壁電荷が蓄積し、維持放電において点灯すべき発光セルＣが点滅することを防止するために、アドレス期間と維持放電期間の間に過剰分の壁電荷を除去する役目の中和信号ＰＨ  が入力される。
【０２２２】
この中和信号ＰＨ  の波形例を図９に示す。
中和信号ＰＨ  において、Ｘ電極Ｘ１  乃至ＸＮ  とＹ電極Ｙ１  乃至ＹＮ  は同電位なのでＸ電極とＹ電極間の放電は起こらない。
【０２２３】
アドレス強放電により生成されたＹ電極Ｙ１  乃至ＹＮ  上の過剰なイオン（正壁電荷）は、中和信号ＰＨ  によるアドレス電極Ａ１  乃至ＡＭ  上の電子（負壁電荷）と反応し、微弱放電によってその過剰分の壁電荷が除去される。この時Ｘ電極及びＹ電極の電位をＶＳ  とすると、アドレス電極Ａ１  乃至ＡＭ  の電位は１／２ＶＳ  が２／３ＶＳ  が最適であることが実験的に確認されている。このアドレス電極Ａ１  乃至ＡＭ  の電位が最適値より大きい場合、目的の微弱放電は起こらず、また、適性値より小さい場合は放電が大きくなり、必要以上に壁電荷を除去してしまう。
【０２２４】
この中和信号ＰＨ  は除去を必要としないセルで作用した場合、適量であった壁電荷を減少させる場合があるので、好ましくは本問題点が顕著に発生する低温時のみ中和信号ＰＨ  出力し、それ以外では出力させないことが望ましい。
【０２２５】
次に、第７実施例の具体的動作について説明する。
ＰＤＰ１の表面温度の検出については第１実施例と同様であるので、細部の説明は省略する。
【０２２６】
マイコン９０に入力された検出信号ＳＴＰに基づき、ＰＤＰ１の温度が所定の閾値を下回った場合、その旨を示す信号がマイコン９０からＥＰ−ＲＯＭ５０に出力される。この信号はＥＰ−ＲＯＭ５０内の駆動波形領域５０Ａの波形選択アドレスに入り中和信号ＰＨ  を含む駆動波形が選択され、パネル駆動制御部１２に出力されて中和信号ＰＨ  を含む駆動パルスが発生する。
【０２２７】
ＰＤＰ１の温度が設定された閾値を上回った場合には、中和信号ＰＨ  を含まない駆動波形が選択される。ここで、閾値の具体値としては、図１８より、点灯不良セル率が急激に増加する０℃から＋５℃に設定することが望ましい。
【０２２８】
以上説明したように、第７実施例によれば、ＰＤＰ１が所定の低温時において、中和信号ＰＨ  を含む駆動波形が出力されるので、過剰な壁電荷が中和され、点灯不良の発光セルＣが発生することがない。
（ＩＸ）第８実施例
次に、請求項１０、２０、２１に記載の発明に対応する第８の実施例について図１に基づいて説明する。
【０２２９】
第８実施例においては、アドレス期間における異常放電（以下、アドレス強放電という。）により過剰な壁電荷が蓄積し、維持放電において点灯すべき発光セルＣが点滅することを低減するために、当該問題点が顕著に発生する始動時又は全消却画面（何も表示されない画面）が継続したとき等、ＰＤＰ１が低温時に当該ＰＤＰ１が加熱される。
【０２３０】
図１８に示す温度特性の通り、本問題点はＰＤＰ１の温度が低温になる程顕著に発生する。また一般的にＰＤＰは、そのプラズマ放電により発熱するのでパネル温度は発光を行うに従い徐々に上昇していく。よって、本問題点が顕著になる電源投入直後等の低温時において、この不具合が顕著に発生する期間をできるだけ短縮させるために、ＰＤＰ１を加熱し温度を強制的に上昇させる。
【０２３１】
次に、具体的動作を説明する。
ＰＤＰ１の表面温度の検出については第１実施例と同様であるので、細部の説明は省略する。
【０２３２】
マイコン９０に入力された検出信号ＳＴＰに基づき、ＰＤＰ１の温度が所定の閾値を下回った場合、その結果をパネル加熱装置９に出力する。これにより、パネル加熱装置９が作動し、ＰＤＰ１を強制加熱する。
【０２３３】
また、ＰＤＰ１の温度が閾値を上回った時点で、マイコン９０からパネル加熱装置９の動作を停止させる信号を出力する。
以上説明したように、第８実施例によれば、維持放電において点灯すべき発光セルＣが点滅する期間を短くして、発光すべき発光セルＣが点滅するのを低減することができる。
（Ｘ）第１参考例
次に、第１参考例について図１に基づいて説明する。
【０２３４】
第１参考例によれば、ＰＤＰ１を動作させる周辺環境温度が異常に高い場合、又は、予期せぬ不具合が発生した場合等に、ＰＤＰ１を含むプラズマディスプレイ表示装置Ｓ１  の温度が異常に上昇し、回路素子の温度定格を超過し、当該回路素子が部品破壊へ至る可能性がある場合に、ＰＤＰ１等の温度が異常モードにつながる可能性のある設定温度に達した場合、ファン等の空冷装置を動作させ空冷処理が行なわれる。
【０２３５】
次に、具体的動作について説明する。
ＰＤＰ１の表面温度の検出並びにＸ共通ドライバ４及びＹ共通ドライバ７の温度の検出については第１実施例と同様であるので、細部の説明は省略する。
【０２３６】
第１参考例では、この他に、装置内雰囲気温度検出器６０によりプラズマディスプレイ表示装置Ｓ１  の温度を検出する。ここで、装置内雰囲気温度検出器６０は、装置内の雰囲気温度をできるだけ正確に測定するためにＦＥＴ等の高熱部品からできるだけ離れた位置に配置することが望ましい。
マイコン９０に入力された検出信号ＳＴＰ、ＳＴＸ及びＳＴＹ並びに装置内雰囲気温度検出器６０の検出信号に基づき、各温度情報の内いずれか一つ以上がそれぞれに設定された閾値を上回った場合、その結果に基づき制御回路８１により空冷装置８０が作動する。この動作はマイコン９０に入力された全ての温度情報が閾値を下回るまで継続される。それぞれの閾値としては、検出信号ＳＴＰに関しては６０℃、検出信号ＳＴＸ及びＳＴＹに関しては１００℃、装置内雰囲気温度検出器６０の検出信号に関しては５０℃程度が適当である。
【０２３７】
以上説明したように、第１参考例によれば、ＰＤＰ１又は各ドライバの温度がそれぞれの所定値以上に上昇することによる当該ＰＤＰ１又は各ドライバの異常動作を防止することができ、ＰＤＰ１又は各ドライバの信頼性が向上する。
（ＸＩ）第２参考例
次に、第２参考例について図１に基づいて説明する。
【０２３８】
第２参考例によれば、ＰＤＰ１を動作させる周辺環境温度が異常に高い場合、又は、予期せぬ不具合が発生した場合等に、ＰＤＰ１を含むプラズマディスプレイ表示装置Ｓ１  の温度が異常に上昇し、回路素子の温度定格を超過し、当該回路素子が部品破壊へ至る可能性がある場合に、ＰＤＰ１等の温度が異常モードにつながる可能性のある設定温度に達したとき、ＬＥＤの点滅により使用者にその旨が警告される。
【０２３９】
次に、具体的動作について説明する。
第２参考例においては、図１に示す装置内雰囲気温度検出器６０により、プラズマディスプレイ表示装置Ｓ１  が監視されている。装置内雰囲気温度検出器６０の配置については、第１参考例と同様であるので、細部の説明は省略する。
【０２４０】
マイコン９０に入力された検出信号ＳＴＰ、ＳＴＸ及びＳＴＹ並びに装置内雰囲気温度検出器６０の検出信号に基づき、各温度情報の内いずれか一つ以上がそれぞれに設定された閾値を上回った場合、マイコン９０は、制御回路７１を作動させ、使用者に対して警告を意味するＬＥＤ７０を点灯させる。この動作は、全ての検出信号に基づく温度情報が閾値を下回るまで継続される。閾値の具体例としては、装置内雰囲気温度検出器６０の場合には、７０℃程度が適当である。
（ＸＩ）第３参考例
次に、第３参考例について図１に基づいて説明する。
【０２４１】
第３参考例によれば、ＰＤＰ１を動作させる周辺環境温度が異常に高い場合、又は、予期せぬ不具合が発生した場合等に、ＰＤＰ１を含むプラズマディスプレイ表示装置Ｓ１  の温度が異常に上昇し、回路素子の温度定格を超過し、当該回路素子が部品破壊へ至る可能性がある場合に、ＰＤＰ１等の温度が異常モードにつながる可能性のある設定温度に達したとき、プラズマディスプレイ表示装置Ｓ１  に対する電源供給が禁止される。
【０２４２】
次に、具体的動作について説明する。
ＰＤＰ１の表面温度の検出、Ｘ共通ドライバ４及びＹ共通ドライバ７の温度の検出並びに、装置内雰囲気温度検出器６０によるプラズマディスプレイ表示装置Ｓ１  の装置内温度の検出については第１参考例と同様であるので、細部の説明は省略する。
【０２４３】
マイコン９０は、各温度検出器から入力された検出信号に基づき、各温度情報の内いずれか一つ以上がそれぞれに設定された閾値を上回った場合、リレー制御部９１を動作させ、駆動用の高圧線を一時的に断とする。この動作は各温度情報の全てが閾値を下回るまで継続される。それぞれの閾値としては、検出信号ＳＴＰに関しては９０℃、検出信号ＳＴＸ及びＳＴＹに関しては１３０℃、装置内雰囲気温度検出器６０からの検出信号に関しては８０℃程度が適当である。
【０２４４】
以上説明したように、第３参考例によれば、ＰＤＰ１等の温度が所定値以上に上昇した場合には、それらの動作を停止することができ、当該所定値以上の温度上昇による異常動作から当該装置等を保護することができる。
【０２４５】
【発明の効果】
以上説明したように、請求項１又は１１に記載の発明によれば、プラズマディスプレイパネルの温度に対応して、当該温度の変化（特に温度の上昇）による輝度の変化を補償することができるので、長時間の使用等によりプラズマディスプレイパネルの温度が変動した場合でも、鮮明な表示画像が得られる。
【０２４６】
請求項２又は１２に記載の発明によれば、プラズマディスプレイパネルを駆動するために維持パルスを印加する共通ドライバの温度に対応して、当該温度の変化（特に温度の上昇）によるプラズマディスプレイの輝度の変化を補償することができるので、長時間の使用等により当該共通ドライバの温度が変動した場合でも、鮮明な表示画像が得られる。
【０２４７】
請求項３に記載の発明によれば、請求項１又は２のいずれかに記載の発明の効果に加えて、輝度制御手段によりプラズマディスプレイパネルにおける維持放電を行うための維持放電パルスの数が制御されることにより輝度が制御されるので、高圧の電源系統等を変更すること無くプラズマディスプレイパネルの輝度の制御が可能である。
【０２４８】
請求項４に記載の発明によれば、請求項１又は２のいずれかに記載の発明の効果に加えて、輝度制御手段によりプラズマディスプレイパネルにおける維持放電を行うための維持放電パルス電圧が制御されることにより輝度が制御されるので、簡易な回路構成でプラズマディスプレイパネルの輝度の制御が可能となる。
【０２４９】
請求項５に記載の発明によれば、請求項１又は２のいずれかに記載の発明の効果に加えて、輝度制御手段によりプラズマディスプレイパネルにより表示されるべき表示データに含まれる階調値データが制御されることにより輝度が制御されるので、高圧の電源系統等を変更すること無くプラズマディスプレイパネルの輝度の制御が可能である。
【０２５０】
請求項６又は１６に記載の発明によれば、プラズマディスプレイパネルの温度変化に基づき、アドレス放電における発光セル指定放電において、発光させるべき発光セルに対応する電極に印加すべき印加パルス電圧を制御されるので、当該印加パルス電圧の許容範囲が、プラズマディスプレイパネルの温度変化により変動した場合でも、当該変動に対応して、印加パルス電圧を変化させることにより、常に印加パルス電圧を当該許容範囲内とすることができる。
【０２５１】
よって、プラズマディスプレイパネルの温度が変化した場合でも安定した表示が可能となる。
請求項７又は１７に記載の発明によれば、プラズマディスプレイパネルの温度変化に基づき、アドレス放電における壁電荷蓄積放電において、電圧が印加されるプラズマディスプレイパネルの電極に対する当該印加電圧が制御される。よって、アドレス放電における発光セル指定放電において、発光させるべき発光セルに対応する電極に印加すべき印加パルス電圧の許容範囲が、プラズマディスプレイパネルの温度の変化（特に温度の上昇）により変動した場合でも、当該変動を、アドレス放電における壁電荷蓄積放電において電圧が印加されるプラズマディスプレイパネルの電極に対する印加電圧を制御することにより解消することができ、常に印加パルス電圧を当該許容範囲内とすることができる。
【０２５２】
従って、プラズマディスプレイパネルの温度が変化した場合でも安定した表示が可能となる。
請求項８又は１８に記載の発明によれば、プラズマディスプレイパネルの温度変化に基づき、プラズマディスプレイパネルを構成する発光セルを初期化するための初期化駆動信号の信号波形が制御される。よって、アドレス放電における発光セル指定放電において、発光させるべき発光セルに対応する電極に印加すべき印加パルス電圧の許容範囲が、プラズマディスプレイパネルの温度の変化（特に温度の上昇）により変動した場合でも、当該変動を、初期化駆動信号の信号波形を制御することにより解消することができるので、常に印加パルス電圧を当該許容範囲内とすることができる。
【０２５３】
従って、プラズマディスプレイパネルの温度が変化した場合でも安定した表示が可能となる。
請求項９又は１９に記載の発明によれば、プラズマディスプレイパネルの温度変化に基づき、アドレス期間における駆動信号に対して、過剰な壁電荷を中和するための中和信号が付加されるので、過剰な壁電荷により、プラズマディスプレイパネルにおける維持放電において異常な維持放電が行われることを防止することができる。
【０２５４】
従って、過剰な発光セルが点滅することを防止することができるので、安定した表示が可能となる。
請求項１０又は２０に記載の発明によれば、プラズマディスプレイパネルの温度変化に基づき、プラズマディスプレイパネルが所定の低温時であるとき、当該プラズマディスプレイパネルが加熱されるので、過剰な壁電荷により、プラズマディスプレイパネルにおける維持放電において異常な維持放電が行われることを低減することができる。
【０２５５】
従って、過剰な発光セルが点滅することを低減されるので、安定した表示が可能となる。
【０２６３】
請求項１３に記載の発明によれば、請求項１１又は１２のいずれかに記載の発明の効果に加えて、輝度制御手段によりプラズマディスプレイパネルにおける維持放電を行うための維持放電パルスの数が制御されることにより輝度が制御されるので、高圧の電源系統等を変更すること無くプラズマディスプレイパネルの輝度の制御が可能である。
【０２６４】
請求項１４に記載の発明によれば、請求項１１又は１２のいずれかに記載の発明の効果に加えて、輝度制御手段によりプラズマディスプレイパネルにおける維持放電を行うための維持放電パルス電圧が制御されることにより輝度が制御されるので、簡易な回路構成でプラズマディスプレイパネルの輝度の制御が可能となる。
【０２６５】
請求項１５に記載の発明によれば、請求項１１又は１２のいずれかに記載の発明の効果に加えて、輝度制御手段によりプラズマディスプレイパネルにより表示されるべき表示データに含まれる階調値データが制御されることにより輝度が制御されるので、高圧の電源系統等を変更すること無くプラズマディスプレイパネルの輝度の制御が可能である。
【０２６６】
請求項２１に記載の発明によれば、請求項１１乃至２０のいずれか一項に記載のプラズマディスプレイパネルの温度補償装置により、プラズマディスプレイパネル又は駆動手段の温度の変動（特に上昇）が補償されるので、プラズマディスプレイパネル又は駆動手段の温度が変動（特に上昇）した場合でも、良好な表示画面が得られる。
【図面の簡単な説明】
【図１】実施例に係るプラズマディスプレイ表示装置の概要構成ブロック図である。
【図２】維持放電パルス数と輝度の関係を示すグラフ図である。
【図３】維持放電電圧と輝度の関係を示すグラフ図である。
【図４】階調値と輝度の関係を示すグラフ図である。
【図５】第４実施例の処理後のパネル温度に基づくＶｙ  の変化の一例を示すグラフ図である。
【図６】第５実施例のＸアドレス電圧と最小アドレス電圧及びオーバライト電圧との関係を示すグラフ図である。
【図７】第５及び第６実施例によるパネル温度とＶｙ  設定値の一例との関係を示すグラフ図である。
【図８】第６実施例の自己消去期間の長さと最小アドレス電圧及びオーバライト電圧との関係を示すグラフ図である。
【図９】第７実施例における中和信号の波形を示す図である。
【図１０】従来技術のＰＤＰの構成（平面図）を示す図である。
【図１１】従来技術のＰＤＰの構成（断面図）を示す図であり、（ａ）は図１０におけるα−α’間の断面図であり、（ｂ）は図１０におけるβ−β’間の断面図である。
【図１２】従来技術のプラズマディスプレイ表示装置の概要構成ブロック図である。
【図１３】従来技術のプラズマディスプレイ表示装置の動作を示すタイミングチャート図である。
【図１４】従来技術の表示データのフレーム構造を示す図である。
【図１５】プラズマディスプレイパネルの温度及び駆動ＦＥＴの温度と輝度の関係を示すグラフ図であり、（ａ）はプラズマディスプレイパネルの温度と輝度の関係を示すグラフ図であり、（ｂ）は駆動ＦＥＴの温度と輝度の関係を示すグラフ図である。
【図１６】プラズマディスプレイパネル温度と適性Ｖｙ  設定範囲との関係を示すグラフ図である。
【図１７】プラズマディスプレイパネル温度とＶｙ  設定可能範囲との関係を示すグラフ図であり、（ａ）はＶｙ  設定可能範囲が広い場合であり、（ｂ）はＶｙ  設定可能範囲が狭い場合である。
【図１８】プラズマディスプレイパネルの温度と点灯不良セル率との関係を示すグラフ図である。
【符号の説明】
１、１００…ＰＤＰ（プラズマディスプレイパネル）
２、１１０…制御回路
３、１１１…アドレスドライバ
４、１１２…Ｘ共通ドライバ
５、８、１０…温度検出器
６、１１３…Ｙスキャンドライバ
７、１１４…Ｙ共通ドライバ
９…パネル加熱装置
１１、１２０…表示データ制御部
１２、１２１…パネル駆動制御部
２０、２２、１３０…フレームメモリ
２１…減算器
３０、１４０…スキャンドライバ制御部
３１、１４１…共通ドライバ制御部
４０…電圧変換部
４１…Ｖａ  電源部
４２…ＶＷ  電源部
４３…ＶＳＣ電源部
４４…Ｖｙ  電源部
４５…ＶＸ  電源部
５０…ＥＰ−ＲＯＭ
５０Ａ…駆動波形領域
５０Ｂ…維持パルス数設定領域
６０…装置内雰囲気温度検出器
７０…ＬＥＤ
７１、８１…制御回路
８０…空冷装置
９０…マイコン
９１…リレー制御部
９２…消費電流検出部
１０１…背面ガラス基板
１０２…Ｍｇ  Ｏ膜
１０３…誘電体層
１０４…バス電極
１０５…透明電極
１０３…前面ガラス基板
２００、Ｓ１  …プラズマディスプレイ表示装置
ＩＮ…表示データ入力部
ＩＮＶ  …駆動高圧入力部
ＯＵＴ…基準電圧出力部
ＤＡＴＡ…表示データ
Ａ１  、Ａ２  、Ａ３  、Ａ４  、Ａ５  、Ａ６  、Ａ７  、Ａ８  、Ａ９  、ＡＭ  …アドレス電極
Ｂ…障壁
Ｃ…発光セル
Ｘ１  、Ｘ２  、Ｘ３  、Ｘ４  、ＸＮ  …Ｘ電極
Ｙ１  、Ｙ２  、Ｙ３  、Ｙ４  、ＹＮ  …Ｙ電極
ＳＡ  、ＳＹＳ、ＳＹＣ、ＳＸ  …制御信号
ＳＴＰ、ＳＴＸ、ＳＴＹ…検出信号
ＰＡＡ…アドレスパルス
ＰＡＹ…スキャンパルス
ＰＡＷ、ＰＸＷ…書込パルス
ＰＸＳ、ＰＹＳ…維持パルス
ＰＨ  …中和信号
ＣＬＫ…ドットクロック
ＶＳＹＮＣ…垂直同期信号
ＨＳＹＮＣ…水平同期信号
ＴＳＥ…自己消去期間
【図１】
0003571805.tif 000010
【図２】
0003571805.tif 000011
【図３】
0003571805.tif 000012
【図４】
0003571805.tif 000013
【図５】
0003571805.tif 000014
【図６】
0003571805.tif 000015
【図７】
0003571805.tif 000016
【図８】
0003571805.tif 000017
【図９】
0003571805.tif 000018
【図１０】
0003571805.tif 000019
【図１１】
0003571805.tif 000020
【図１２】
0003571805.tif 000021
【図１３】
0003571805.tif 000022
【図１４】
0003571805.tif 000023
【図１５】
0003571805.tif 000024
【図１６】
0003571805.tif 000025
【図１７】
0003571805.tif 000026
【図１８】
0003571805.tif 000027